(57)【要約】【課題】    映像中の被写体の大きさを容易にかつ確実に算出できない。【解決手段】  映像を撮影した際の撮影パラメータを取得する撮影パラメータ取得手段と、撮影した映像の撮影範囲の高さを算出する撮影範囲算出手段と、撮影範囲の高さとショットサイズとの対応関係を保持する対応関係保持手段と、外部から選択指示を入力する選択指示入力手段と、保持されている対応関係を選択する対応関係選択手段と、撮影した映像のショットサイズを判定するショットサイズ判定手段とを備え、前記撮影範囲算出手段は、撮影パラメータに基づいて撮影範囲の高さを算出し、前記対応関係選択手段は、選択指示に基づいて保持されている対応関係から必要となる対応関係を選択し、前記ショットサイズ判定手段は、算出された撮影範囲の高さと選択された対応関係とに基づいて、撮影した映像のショットサイズを判定することを特徴とする情報処理装置。【選択図】      図１
2007013478.tif 000002
【特許請求の範囲】
【請求項１】
撮像装置を用いて映像を撮影した際の撮影パラメータを取得する撮影パラメータ取得手段と、
撮影した映像の撮影範囲の高さを算出する撮影範囲算出手段と、
撮影範囲の高さとショットサイズとの対応関係を保持する対応関係保持手段と、
撮影した映像のショットサイズを判定するショットサイズ判定手段と、
を備え、前記撮影範囲算出手段は、取得された撮影パラメータに基づいて撮影範囲の高さを算出し、前記ショットサイズ判定手段は、算出された撮影範囲の高さと保持されている対応関係とに基づいて、撮影した映像のショットサイズを判定することを特徴とする情報処理装置。
【請求項２】
請求項１に記載の情報処理装置であって、
外部から選択指示を入力する選択指示入力手段と、
保持されている対応関係を選択する対応関係選択手段と、
をさらに備え、前記対応関係選択手段は、入力された選択指示に基づいて保持されている対応関係から必要となる対応関係を選択し、前記ショットサイズ判定手段は、算出された撮影範囲の高さと選択された対応関係とに基づいて、撮影した映像のショットサイズを判定することを特徴とする情報処理装置。
【請求項３】
請求項１または２に記載の情報処理装置であって、
外部から初期指示を入力する初期指示入力手段と、
撮影範囲の高さとショットサイズとの対応関係を生成する対応関係生成手段と、
をさらに備え、前記対応関係生成手段は、算出された撮影範囲の高さと入力された初期指示とに基づいて対応関係を生成し、前記対応関係保持手段は、生成された対応関係を保持することを特徴とする情報処理装置。
【請求項４】
請求項１または２に記載の情報処理装置であって、
外部から取得指示を入力する取得指示入力手段と、
外部から撮影範囲の高さとショットサイズとの対応関係を取得する対応関係取得手段と、
をさらに備え、前記対応関係取得手段は、入力された取得指示に基づいて対応関係を取得し、前記対応関係保持手段は、取得された対応関係を保持することを特徴とする情報処理装置。
【請求項５】
撮像装置を用いて映像を撮影した際の撮影パラメータを取得する段階と、
取得された撮影パラメータに基づいて撮影した映像の撮影範囲の高さを算出する段階と、
撮影範囲の高さとショットサイズとの対応関係を保持する段階と、
算出された撮影範囲の高さと保持されている対応関係とに基づいて撮影した映像のショットサイズを判定する段階と、
を含むことを特徴とする情報処理方法。
【請求項６】
撮像装置を用いて映像を撮影した際の撮影パラメータを取得する段階と、
取得された撮影パラメータに基づいて撮影した映像の撮影範囲の高さを算出する段階と、
撮影範囲の高さとショットサイズとの対応関係を保持する段階と、
外部から選択指示を入力する段階と、
入力された選択指示に基づいて保持されている対応関係を選択する段階と、
算出された撮影範囲の高さと選択された対応関係とに基づいて撮影した映像のショットサイズを判定する段階と、
を含むことを特徴とする情報処理方法。
【請求項７】
撮像装置を用いて映像を撮影した際の撮影パラメータを取得する段階と、
取得された撮影パラメータに基づいて撮影した映像の撮影範囲の高さを算出する段階と、
外部から初期指示を入力する段階と、
算出された撮影範囲の高さと入力された初期指示とに基づいて撮影範囲の高さとショットサイズとの対応関係を生成する段階と、
生成された対応関係を保持する段階と、
算出された撮影範囲の高さと保持されている対応関係とに基づいて撮影した映像のショットサイズを判定する段階と、
を含むことを特徴とする情報処理方法。
【請求項８】
撮像装置を用いて映像を撮影した際の撮影パラメータを取得する段階と、
取得された撮影パラメータに基づいて撮影した映像の撮影範囲の高さを算出する段階と、
外部から初期指示を入力する段階と、
算出された撮影範囲の高さと入力された初期指示とに基づいて撮影範囲の高さとショットサイズとの対応関係を生成する段階と、
生成された対応関係を保持する段階と、
外部から選択指示を入力する段階と、
入力された選択指示に基づいて保持されている対応関係を選択する段階と、
算出された撮影範囲の高さと選択された対応関係とに基づいて撮影した映像のショットサイズを判定する段階と、
を含むことを特徴とする情報処理方法。
【請求項９】
請求項７または８に記載の情報処理方法であって、
算出された撮影範囲の高さと、初期指示として入力された初期ショットサイズとの１次対応関係を生成する段階と、
生成した１次対応関係に基づいて、ショットサイズと代表的な撮影範囲の高さとの２次対応関係を生成する段階と、
をさらに含み、生成した２次対応関係から、撮影範囲の高さとショットサイズとの対応関係を生成することを特徴とする情報処理方法。
【請求項１０】
請求項９に記載の情報処理方法であって、
初期ショットサイズを基準とする相対比率を算出する段階と、
算出した相対比率に初期ショットサイズを乗じる段階と、
隣り合うショットサイズと対応する代表的な撮影範囲の高さの中間値を算出する段階と、
各ショットサイズと対応する撮影範囲の高さのレンジを算出する段階と、
をさらに含み、ショットサイズ毎の相対比率に初期ショットサイズを乗じた結果を代表的な撮影範囲の高さとし、算出した中間値を撮影範囲の高さのレンジの境界値とすることで、撮影範囲の高さとショットサイズとの対応関係を生成することを特徴とする情報処理方法。
【請求項１１】
撮像装置を用いて映像を撮影した際の撮影パラメータを取得する段階と、
取得された撮影パラメータに基づいて撮影した映像の撮影範囲の高さを算出する段階と、
外部から取得指示を入力する段階と、
入力された取得指示に基づいて撮影範囲の高さとショットサイズとの対応関係を外部から取得する段階と、
取得された対応関係を保持する段階と、
算出された撮影範囲の高さと保持されている対応関係とに基づいて撮影した映像のショットサイズを判定する段階と、
を含むことを特徴とする情報処理方法。
【請求項１２】
撮像装置を用いて映像を撮影した際の撮影パラメータを取得する段階と、
取得された撮影パラメータに基づいて撮影した映像の撮影範囲の高さを算出する段階と、
外部から取得指示を入力する段階と、
入力された取得指示に基づいて撮影範囲の高さとショットサイズとの対応関係を外部から取得する段階と、
取得された対応関係を保持する段階と、
外部から選択指示を入力する段階と、
入力された選択指示に基づいて保持されている対応関係を選択する段階と、
算出された撮影範囲の高さと選択された対応関係とに基づいて撮影した映像のショットサイズを判定する段階と、
を含むことを特徴とする情報処理方法。
【発明の詳細な説明】
【技術分野】
【０００１】
本発明は、撮影した映像に付随する情報処理装置並びに情報処理方法に関し、特に、撮影した映像中の被写体の大きさを手掛かりとして、撮影した映像の映像全体に対する被写体の大きさ（ショットサイズ）を付与する情報処理装置並びに情報処理方法に関する。
【背景技術】
【０００２】
番組は、番組を構成する各映像場面（カット）を撮影し、それらを番組のカット構成に則って繋ぎ合わせることで制作される。そして、複数のカットを番組のカット構成に則って繋ぎ合わせる過程においては、カット中での映像全体に対する被写体の大きさ（ショットサイズ）が重要視される。例えば、ショットサイズが急激に変化するようなカットを番組のカット構成に則って繋ぎ合わせると、空間的な位置関係が理解しにくくなるなど、番組の視聴者に対して違和感を与えてしまう。また、例えば、番組全体を通じてショットサイズが変化しなければ、番組内容の焦点がぼやけてしまうばかりでなく、番組が視聴者にとって単調で飽き易いものとなってしまう。このため、番組の制作者は、時系列方向に隣接するカット間で適宜ショットサイズが変化するように、常にショットサイズを考慮しながらカットを番組のカット構成に則って繋ぎ合わせる必要がある。
【０００３】
ところで、番組を構成するカットは、同一の場所で撮影すべきカットを一時にまとめて撮影するなど、ショットサイズに依存しない順番で撮影される。このため、撮影した複数のカットを番組のカット構成に則って繋ぎ合わせる際には、撮影した複数のカットの中から適切なショットサイズで撮影されたカットを検索する作業が必要となる。従って、番組制作では、ショットサイズが映像検索の重要な検索キーとなり、また、ショットサイズを手掛かりとして映像を検索するためには、映像中での被写体のショットサイズを判定する必要がある。
【０００４】
映像のショットサイズを判定する方法として、一般的に、画像認識処理を用いて映像中の被写体を抽出し、抽出した被写体の大きさからショットサイズを判定することが考えられる。画像認識処理を用いて映像中の被写体の大きさを算出する手法（第１従来手法）が特許文献１に開示されている。この第１従来手法によれば、画像認識処理を用いて映像中の被写体を抽出し、そこから抽出した被写体の大きさを算出することが可能となる。
【０００５】
また、映像のショットサイズを判定する方法として、本発明の実施形態で後述する通りに、撮像装置を用いて撮影した映像の撮影範囲の高さを算出し、その撮影範囲の高さに基づいてショットサイズを判定することが可能である。撮像装置を用いて撮影した映像の撮影範囲の高さを算出する手法（第２従来手法）が特許文献２に開示されている。この第２従来手法によれば、撮像装置を用いて映像を撮影した際の撮影パラメータから、撮影した映像の撮影範囲の高さを算出することが可能となる。
【特許文献１】特開２０００−１９６９８０号公報
【特許文献２】特開２００４−６４５０４号公報
【発明の開示】
【発明が解決しようとする課題】
【０００６】
上述した第１従来手法に基づき、画像認識処理を用いて映像中の被写体の大きさを算出する場合には、処理対象となる映像によっては被写体の検出精度が保証できず、また、画像認識の処理自体が高負荷であるため、結果として、映像中の被写体の大きさを容易にかつ確実に算出できないという問題がある。
また、上述した第１従来手法または第２従来手法を用いて映像中の被写体の大きさまたは撮影した映像の撮影範囲の高さを算出する場合にも、算出した被写体の大きさまたは撮影範囲の高さからショットサイズを導出（判定）する手法が存在しない。このため、結果的には、撮影した映像を実際に目視することでショットサイズを判定する必要であり、映像のショットサイズを容易に判定できないという問題がある。
【課題を解決するための手段】
【０００７】
本発明の請求項１に係る情報処理装置は、撮像装置を用いて映像を撮影した際の撮影パラメータを取得する撮影パラメータ取得手段と、撮影した映像の撮影範囲の高さを算出する撮影範囲算出手段と、撮影範囲の高さとショットサイズとの対応関係を保持する対応関係保持手段と、撮影した映像のショットサイズを判定するショットサイズ判定手段とを備え、撮影範囲算出手段は、取得された撮影パラメータに基づいて撮影範囲の高さを算出し、ショットサイズ判定手段は、算出された撮影範囲の高さと保持している対応関係とに基づいて、撮影した映像のショットサイズを判定することを特徴とする。
【０００８】
この場合、撮像装置を用いて撮影した際の撮影パラメータに基づいて、単一の被写体を撮影した映像のショットサイズを判定することが可能であり、撮影した映像を実際に目視することなく、映像のショットサイズを容易に判定することが可能となる。
本発明の請求項２に係る情報装置は請求項１に記載の情報処理装置であって、情報処理装置の操作者や情報処理装置に接続された外部システムなどが選択指示を入力する選択指示入力手段と、保持されている対応関係を選択する対応関係選択手段とをさらに備え、対応関係選択手段は、入力された選択指示に基づいて対応関係を選択し、ショットサイズ判定手段は、算出された撮影範囲の高さと選択された対応関係とに基づいて、撮影した映像のショットサイズを判定することを特徴とする。
【０００９】
この場合、撮像装置を用いて撮影した際の撮影パラメータと、情報処理装置の操作者や情報処理装置に接続された外部システムなどが入力する初期指示と選択指示とに基づいて、異なる被写体を撮影した複数の映像のショットサイズを判定することが可能であり、異なる被写体を撮影する毎に選択指示を入力することにより、撮影した映像を実際に目視することなく、映像のショットサイズを容易に判定することが可能となる。
【００１０】
本発明の請求項３に係る情報装置は請求項１または２に記載の情報処理装置であって、情報処理装置の操作者や情報処理装置に接続された外部システムなどが初期指示を入力する初期指示入力手段と、撮影範囲の高さとショットサイズとの対応関係を生成する対応関係生成手段とをさらに備え、対応関係生成手段は、算出された撮影範囲の高さと入力された初期指示とに基づいて対応関係を生成し、対応関係保持手段は、生成された対応関係を保持することを特徴とする。
【００１１】
この場合、撮像装置を用いて撮影した際の撮影パラメータと、情報処理装置の操作者や情報処理装置に接続された外部システムなどが入力する初期指示とに基づいて、予め対応関係を保持していない場合でも、単一または複数の被写体を撮影した映像のショットサイズを判定することが可能であり、例えば、ある被写体を初めて撮影した場合の初期ショットサイズと判定されるショットサイズの定義体とを初期指示として入力することにより、撮影した映像を実際に目視することなく、映像のショットサイズを容易に判定することが可能となる。
【００１２】
本発明の請求項４に係る情報装置は請求項１または２に記載の情報処理装置であって、情報処理装置に接続された外部システムなどから取得指示を入力する取得指示入力手段と、情報処理装置に接続された外部システムなどから撮影範囲の高さとショットサイズとの対応関係を取得する対応関係取得手段とをさらに備え、対応関係取得手段は、入力された取得指示に基づいて対応関係を取得し、対応関係保持手段は、取得された対応関係を保持することを特徴とする。
【００１３】
この場合、撮像装置を用いて撮影した際の撮影パラメータと、情報処理装置に接続された外部システムなどが入力する取得指示とに基づいて、予め対応関係を保持していない場合でも、単一または複数の被写体を撮影した映像のショットサイズを判定することが可能であり、入力された取得指示に基づいて情報処理装置に接続された外部システムなどから対応関係を取得することにより、撮影した映像を実際に目視することなく、映像のショットサイズを容易に判定することが可能となる。
【００１４】
本発明の請求項５に係る情報処理方法は、撮像装置を用いて映像を撮影した際の撮影パラメータを取得する段階と、取得された撮影パラメータに基づいて撮影した映像の撮影範囲の高さを算出する段階と、撮影範囲の高さとショットサイズとの対応関係を保持する段階と、算出された撮影範囲の高さと保持されている対応関係とに基づいて撮影した映像のショットサイズを判定する段階とを含むことを特徴とする。
【００１５】
この場合、本発明の請求項１に係る情報処理装置と同様に、撮像装置を用いて撮影した際の撮影パラメータに基づいて、単一の被写体を撮影した映像のショットサイズを判定することが可能であり、撮影した映像を実際に目視することなく、映像のショットサイズを容易に判定することが可能となる。
本発明の請求項６に係る情報処理方法は、撮像装置を用いて映像を撮影した際の撮影パラメータを取得する段階と、取得された撮影パラメータに基づいて撮影した映像の撮影範囲の高さを算出する段階と、撮影範囲の高さとショットサイズとの対応関係を保持する段階と、情報処理装置の操作者や情報処理装置に接続された外部システムなどが選択指示を入力する段階と、入力された選択指示に基づいて保持されている対応関係を選択する段階と、算出された撮影範囲の高さと選択された対応関係とに基づいて撮影した映像のショットサイズを判定する段階とを含むことを特徴とする。
【００１６】
この場合、撮像装置を用いて撮影した際の撮影パラメータと、情報処理装置の操作者や情報処理装置に接続された外部システムなどが入力する初期指示と選択指示とに基づいて、異なる被写体を撮影した複数の映像のショットサイズを判定することが可能であり、異なる被写体を撮影する毎に選択指示を入力することにより、撮影した映像を実際に目視することなく、映像のショットサイズを容易に判定することが可能となる。
【００１７】
本発明の請求項７に係る情報処理方法は、撮像装置を用いて映像を撮影した際の撮影パラメータを取得する段階と、取得された撮影パラメータに基づいて撮影した映像の撮影範囲の高さを算出する段階と、情報処理装置の操作者や情報処理装置に接続された外部システムなどが初期指示を入力する段階と、算出された撮影範囲の高さと入力された初期指示とに基づいて撮影範囲の高さとショットサイズとの対応関係を生成する段階と、対応関係を保持する段階と、算出された撮影範囲の高さと保持されている対応関係とに基づいて撮影した映像のショットサイズを判定する段階とを含むことを特徴とする。
【００１８】
この場合、撮像装置を用いて撮影した際の撮影パラメータと、情報処理装置の操作者や情報処理装置に接続された外部システムなどが入力する初期指示とに基づいて、予め対応関係を保持していない場合でも、単一の被写体を撮影した映像のショットサイズを判定することが可能であり、例えば、被写体を初めて撮影した場合の初期ショットサイズと判定されるショットサイズの定義体とを初期指示として入力することにより、撮影した映像を実際に目視することなく、映像のショットサイズを容易に判定することが可能となる。
【００１９】
本発明の請求項８から１０に係る情報処理方法は、撮像装置を用いて映像を撮影した際の撮影パラメータを取得する段階と、取得された撮影パラメータに基づいて撮影した映像の撮影範囲の高さを算出する段階と、情報処理装置の操作者や情報処理装置に接続された外部システムなどが初期指示を入力する段階と、算出された撮影範囲の高さと入力された初期指示とに基づいて撮影範囲の高さとショットサイズとの対応関係を生成する段階と、対応関係を保持する段階と、情報処理装置の操作者や情報処理装置に接続された外部システムなどが選択指示を入力する段階と、入力された選択指示に基づいて保持されている対応関係を選択する段階と、算出された撮影範囲の高さと選択された対応関係とに基づいて撮影した映像のショットサイズを判定する段階とを含むことを特徴とする。
【００２０】
この場合、撮像装置を用いて撮影した際の撮影パラメータと、情報処理装置の操作者や情報処理装置に接続された外部システムなどが入力する初期指示と選択指示とに基づいて、予め対応関係を保持していない場合でも、異なる被写体を撮影した複数の映像のショットサイズを判定することが可能であり、例えば、ある被写体を初めて撮影した場合の初期ショットサイズと判定されるショットサイズの定義体とを、新たな被写体を撮影する毎に初期指示として入力し、さらに、映像を撮影する毎に選択指示を入力することにより、撮影した映像を実際に目視することなく、映像のショットサイズを容易に判定することが可能となる。
【００２１】
本発明の請求項１１に係る情報処理方法は、撮像装置を用いて映像を撮影した際の撮影パラメータを取得する段階と、取得された撮影パラメータに基づいて撮影した映像の撮影範囲の高さを算出する段階と、外部から取得指示を入力する段階と、入力された取得指示に基づいて撮影範囲の高さとショットサイズとの対応関係を外部から取得する段階と、取得された対応関係を保持する段階と、算出された撮影範囲の高さと保持されている対応関係とに基づいて撮影した映像のショットサイズを判定する段階とを含むことを特徴とする。
【００２２】
この場合、撮像装置を用いて撮影した際の撮影パラメータと、情報処理装置に接続された外部システムなどが入力する取得指示とに基づいて、予め対応関係を保持していない場合でも、単一の被写体を撮影した映像のショットサイズを判定することが可能であり、単一の被写体を撮影した映像のショットサイズを判定することが可能であり、入力された取得指示に基づいて情報処理装置に接続された外部システムなどから対応関係を取得することにより、撮影した映像を実際に目視することなく、映像のショットサイズを容易に判定することが可能となる。
【００２３】
本発明の請求項１２に係る情報処理方法は、撮像装置を用いて映像を撮影した際の撮影パラメータを取得する段階と、取得された撮影パラメータに基づいて撮影した映像の撮影範囲の高さを算出する段階と、外部から取得指示を入力する段階と、入力された取得指示に基づいて撮影範囲の高さとショットサイズとの対応関係を外部から取得する段階と、取得された対応関係を保持する段階と、外部から選択指示を入力する段階と、入力された選択指示に基づいて保持されている対応関係を選択する段階と、算出された撮影範囲の高さと選択された対応関係とに基づいて撮影した映像のショットサイズを判定する段階とを含むことを特徴とする。
【００２４】
この場合、撮像装置を用いて撮影した際の撮影パラメータと、情報処理装置の操作者や情報処理装置に接続された外部システムなどが入力する取得指示と選択指示とに基づいて、予め対応関係を保持していない場合でも、複数の被写体を撮影した映像のショットサイズを判定することが可能であり、新たな被写体を撮影する毎に、入力された取得指示に基づいて情報処理装置に接続された外部システムなどから対応関係を取得することにより、撮影した映像を実際に目視することなく、映像のショットサイズを容易に判定することが可能となる。
【００２５】
本発明は、上述の情報処理装置を備えたシステムもまた包含する。さらに、本発明は、上述の情報処理方法を実行するためのプログラム、またはこのプログラムを記録した記録媒体を包含する。
【発明の効果】
【００２６】
本発明の情報処理装置並びに方法によれば、撮像装置を用いて撮影した際の撮影パラメータに基づいて、被写体を撮影した映像のショットサイズを判定することが可能であり、撮影した映像を実際に目視することなく、映像のショットサイズを容易に判定することが可能となる。
【発明を実施するための最良の形態】
【００２７】
〈第１実施形態〉
（１．ショットサイズを判別する仕組みの概要）
本発明の第１実施形態に係わる情報処理装置は、ある映像を撮影した際の撮影パラメータから、撮像装置によって撮影された範囲の実空間における鉛直方向の大きさ（撮影範囲の高さ）を算出し、予め保持している撮影範囲の高さとショットサイズとの対応関係を参照することで、算出した撮影範囲の高さから、その映像のショットサイズを判定するものである。
【００２８】
（１−１．撮影範囲の高さとショットサイズとの対応関係）
撮影範囲の高さとショットサイズとの対応関係の一例を示す説明図を図１に示す。
図１は、撮像装置を用いて撮影した映像のショットサイズが、撮影範囲の高さと対応関係を持つことを示している。
映像１０１は、例えば、「接写」と定義された「クローズショット」というショットサイズの下で、例えば、身長１６０ｃｍの被写体１００を撮影したものである。ここで、例えば、大きさ２０ｃｍの顔と上下に１０ｃｍずつの背景とを撮影したとすると、この映像１０１は、「４０ｃｍ」という撮影範囲の高さを持つ。
【００２９】
映像１０２は、例えば、「半身」と定義された「バストショット」というショットサイズの下で同じ被写体１００を撮影したものである。ここで、例えば、大きさ７０ｃｍの上半身と上下に１５ｃｍずつの背景とを撮影したとすると、この映像１０２は、「１００ｃｍ」という撮影範囲の高さを持つ。
映像１０３は、例えば、「七分身」と定義された「ウエストショット」というショットサイズの下で同じ被写体１００を撮影したものである。ここで、例えば、大きさ１１０ｃｍの七分身と上下に２０ｃｍずつの背景とを撮影したとすると、この映像１０３は、「１５０ｃｍ」という撮影範囲の高さを持つ。
【００３０】
映像１０４は、例えば、「全景」と定義された「フルショット」というショットサイズの下で同じ被写体１００を撮影したものである。ここで、例えば、大きさ１６０ｃｍの全身と上下に３０ｃｍずつの背景とを撮影したとすると、この映像１０４は、「２２０ｃｍ」という撮影範囲の高さを持つ。
映像１０５は、例えば、「遠景で撮影すること」と定義された「ロングショット」というショットサイズの下で同じ被写体１００を撮影したものである。ここで、例えば、大きさ１６０ｃｍの全身と上下に１７０ｃｍずつの背景とを撮影したとすると、この映像１０５は、「５００ｃｍ」という撮影範囲の高さを持つ。
【００３１】
すなわち、異なるショットサイズの下で同一の被写体を撮影すると、それぞれの撮影範囲の高さは、ショットサイズに応じて変化する。従って、ある被写体に関する撮影範囲の高さとショットサイズとは依存関係（対応関係）を持つものであり、この対応関係を予め保持していれば、この対応関係を参照することで、撮影範囲の高さからショットサイズを判定できる。
【００３２】
（１−２．撮影パラメータから撮影範囲の高さを算出する方法）
撮像装置を用いて映像を撮影した際の撮影パラメータを用いて、撮影範囲の高さを算出する方法の一例を示す説明図を図２に示す。
図２は、ズーム機能を有していない撮像装置内での受光部の高さと焦点距離との比が、撮像装置外での撮影範囲の高さと被写体距離との比と相似関係であることを示している。
【００３３】
ここで、受光部とは、例えば、ビデオカメラにおけるCCD（Charge Coupled Devices：電荷結合素子）のことであり、受光部の高さとは、このCCDの鉛直方向の大きさのことである。また、焦点距離とは、例えば、ビデオカメラにおけるレンズの中心からCCDまでの距離のことである。また、被写体距離とは、例えば、ビデオカメラにおけるレンズの中心から撮影する被写体までの距離のことである。また、ズーム倍率とは、光学ズームやデジタルズームなどのズーム機能を用いて被写体を拡大する際の拡大率のことである。
【００３４】
ところで、ビデオカメラなどの撮像装置では、複数枚のレンズを重ねて使用されるのが一般的である。しかし、複数枚のレンズが使用されていても、その作用を１枚の凸レンズに置き換えることができる。従って、複数枚のレンズを重ねて使用する撮像装置では、その仮想の１枚の凸レンズの中心を基点として、上記の焦点距離や被写体距離を算出する。
すなわち、受光部２０１とレンズ（仮想の１枚の凸レンズ）２０２とを持ち、受光部の高さが「ｈ」である撮像装置を用いて、被写体距離が「Ｄ」である被写体２０３を焦点距離「ｄ」で撮影した場合には、撮影した映像２０４の撮影範囲の高さ「Ｈ」は、
Ｈ＝（Ｄ／ｄ）×ｈ  ・・・（１）
なる撮影範囲の高さの算出式（１）により得られることを示している。
【００３５】
ところで、ズーム機能を有する撮像装置を用いて、ズーム倍率「ｎ」で撮影した場合には、被写体がｎ倍に拡大される。すなわち、撮影範囲が１／ｎ倍に縮小されるため、撮影した映像の撮影範囲の高さ「Ｈ」は、
Ｈ＝（１／ｎ）×（Ｄ／ｄ）×ｈ  ・・・（２）
なる撮影範囲の高さの算出式（２）により得られる。
【００３６】
従って、ある映像を撮影した際の撮影パラメータとして、受光部の高さ、焦点距離、被写体距離、ズーム倍率が判れば、この映像の撮影範囲の高さを得ることができる。
（２．全体構成）
本発明の第１実施形態の情報処理装置の概略構成を示す機能ブロック図を図３に示す。
本発明の第１実施形態に係る情報処理装置３００は、撮影パラメータ取得手段３０１、撮影範囲算出手段３０２、対応関係保持手段３０３、選択指示入力手段３０４、対応関係選択手段３０５、ショットサイズ判定手段３０６を備えている。
【００３７】
撮影パラメータ取得手段３０１は、撮像装置を用いて映像を撮影した際の撮影パラメータを取得するものであって、取得された撮影パラメータは、撮影範囲算出手段３０２に登録される。
撮影範囲算出手段３０２は、撮影パラメータ取得手段３０１から登録された撮影パラメータに基づいて、撮像装置を用いて撮影した映像の撮影範囲の高さを算出するものであって、算出された撮影範囲の高さは、ショットサイズ判定手段３０６に登録される。
【００３８】
対応関係保持手段３０３は、撮影範囲の高さとショットサイズとの対応関係を保持するものであって、保持された対応関係は、後述の、選択指示入力手段３０４から登録される選択指示に基づいて、対応関係選択手段３０５から選択（取得）される。
選択指示入力手段３０４は、情報処理装置３００の操作者や情報処理装置３００に接続された外部システムなどが選択指示を入力するものであって、入力された選択指示は、対応関係選択手段３０５に登録される。
【００３９】
対応関係選択手段３０５は、選択指示入力手段３０４から登録された選択指示に基づいて、対応関係保持手段３０３において保持されている対応関係を選択（取得）するものであって、選択（取得）された対応関係は、ショットサイズ判定手段３０６に登録される。
ショットサイズ判定手段３０６は、撮影範囲算出手段３０２から登録された撮影範囲の高さと対応関係選択手段３０５から登録された対応関係とに基づいて、撮像装置を用いて撮影した映像のショットサイズを判定する。
【００４０】
（３．各手段の詳細）
（３−１．撮影パラメータ取得手段の動作例）
撮影パラメータ取得手段３０１が取得する、撮影パラメータの情報テーブル（撮影パラメータテーブル）の一例を図４に示す。
この撮影パラメータテーブル４００は、映像識別子４０１、受光部の高さ４０２、焦点距離４０３、被写体距離４０４、ズーム倍率４０５などの項目で構成されている。
【００４１】
図示した例では、撮影パラメータテーブル４００は、「ＡＡＡ」という映像識別子４０６を有する映像が、その映像全体を通じて、「１０ｍｍ」という受光部の高さ４０７を持つ撮像装置を用いて、「５０ｍｍ」という焦点距離４０８、「７．５ｍ」という被写体距離４０９、「１」というズーム倍率４１０の下で撮影された映像であることを示している。
【００４２】
本発明の第１実施形態では、撮影パラメータ取得手段３０１は、例えば、図４の撮影パラメータテーブル４００を取得したものとする。このとき、撮影パラメータ取得手段３０１は、取得した撮影パラメータテーブル４００を撮影範囲算出手段３０２に登録する。
（３−２．撮影範囲算出手段の動作例）
撮影範囲算出手段３０２が算出する、撮影範囲の高さの情報テーブル（撮影範囲テーブル）の一例を図５に示す。
【００４３】
この撮影範囲テーブル５００は、映像識別子４０１、撮影範囲の高さ５０１などの項目で構成されている。
図示した例では、撮影範囲テーブル５００は、「ＡＡＡ」という映像識別子４０６を有する映像が、「１５０ｃｍ」という撮影範囲の高さ５０２を持つことを示している。
本発明の第１実施形態では、ある時に、撮影パラメータ取得手段３０１から、例えば、図４の撮影パラメータテーブル４００が登録されたものとする。このとき、撮影範囲算出手段３０２は、撮影パラメータテーブル４００に基づいて、例えば、図５の撮影範囲テーブル５００を算出する。すなわち、撮影範囲算出手段３０２は、「１０ｍｍ」という受光部の高さ４０７、「５０ｍｍ」という焦点距離４０８、「７．５ｍ」という被写体距離４０９、「１」というズーム倍率４１０を、それぞれ、前述の撮影範囲の高さの算出式（２）の「ｈ」、「ｄ」、「Ｄ」、「ｎ」に代入することで「１５０ｃｍ」という撮影範囲の高さ５０２を算出する。このとき、算出した撮影範囲テーブル５００は、ショットサイズ判定手段３０６に登録される。
【００４４】
（３−３．対応関係保持手段の動作例）
対応関係保持手段３０３が保持する対応関係の情報テーブル（対応関係テーブル）の一例を図６に示す。
この対応関係テーブル６００は、対応関係識別子６０１、ショットサイズ６０２、撮影範囲の高さのレンジ６０３などの項目で構成されている。
【００４５】
図示した例では、対応関係テーブル６００は、「ＢＢＢ」という対応関係識別子６０４を有する対応関係であり、「クローズショット」というショットサイズ６０５、「バストショット」というショットサイズ６０６、「ウエストショット」というショットサイズ６０７、「フルショット」というショットサイズ６０８、「ロングショット」というショットサイズ６０９を持つことを示している。また、ショットサイズ６０５は「７０ｃｍ未満」という撮影範囲の高さのレンジ６１０を持ち、ショットサイズ６０６は「７０ｃｍ以上、１２５ｃｍ未満」という撮影範囲の高さのレンジ６１１を持ち、ショットサイズ６０７は「１２５ｃｍ以上、１８５ｃｍ未満」という撮影範囲の高さのレンジ６１２を持ち、ショットサイズ６０８は「１８５ｃｍ以上、３６０ｃｍ未満」という撮影範囲の高さのレンジ６１３を持ち、ショットサイズ６０９は「３６０ｃｍ以上」という撮影範囲の高さのレンジ６１４を持つことを示している。
【００４６】
本発明の第１実施形態では、対応関係保持手段３０３は、例えば、その内部に存在する対応関係保持領域なるメモリ領域内に、例えば、図６の対応関係テーブル６００を含む複数の対応関係を保持しているものとする。このとき、保持されている対応関係テーブル６００は、後述の、選択指示入力手段３０４から登録される選択指示に基づいて、対応関係選択手段３０５から選択（取得）される。ここで、対応関係保持領域内の対応関係は、対応関係選択手段３０５から選択（取得）された後も、この対応関係保持領域内に存在し続けるものとする。
【００４７】
（３−４．選択指示入力手段の動作例）
選択指示入力手段３０４を用いて情報処理装置３００の操作者や情報処理装置３００に接続された外部システムなどが入力する、選択指示の情報テーブル（選択指示テーブル）の一例を図７に示す。
この選択指示テーブル７００は、映像識別子４０１、対応関係識別子６０１などの項目で構成されている。
【００４８】
図示した例では、選択指示テーブル７００は、「ＡＡＡ」という映像識別子４０６を有する映像に対して、「ＢＢＢ」という対応関係識別子６０４を持つ対応関係を選択することを示している。
本発明の第１実施形態では、ある時に、選択指示入力手段３０４において、例えば、図７の選択指示テーブル７００が入力されたものとする。このとき、選択指示入力手段３０４は、入力された選択指示テーブル７００を対応関係選択手段３０５に登録する。
【００４９】
（３−５．対応関係選択手段の動作例）
本発明の第１実施形態では、ある時に、選択指示入力手段３０４から、例えば、図７の選択指示テーブル７００が登録されたものとする。このとき、対応関係選択手段３０５は、選択指示テーブル７００の「ＢＢＢ」という対応関係識別子６０４に基づいて、対応関係保持手段３０３の内部に存在する対応関係保持領域なるメモリ領域から、例えば、図６の対応関係テーブル６００を選択（取得）し、選択（取得）した対応関係テーブル６００をショットサイズ判定手段３０６に登録する。
【００５０】
（３−６．ショットサイズ判定手段の動作例）
本発明の第１実施形態では、ある時に、撮影範囲算出手段３０２から、例えば、図５の撮影範囲テーブル５００が登録され、さらに、対応関係選択手段３０５から、例えば、図６の対応関係テーブル６００が登録されたものとする。このとき、ショットサイズ判定手段３０６は、撮影範囲テーブル５００と対応関係テーブル６００とに基づいて、「ＡＡＡ」という映像識別子４０６を有する映像が、「ウエストショット」というショットサイズ６０７に分類されることを判定する。すなわち、ショットサイズ判定手段３０６は、「１５０ｃｍ」という撮影範囲の高さ５０２が「１２５ｃｍ以上、１８５ｃｍ未満」という撮影範囲の高さのレンジ６１２に含まれると判断する。
【００５１】
（４．全体処理の詳細）
この第１実施形態において、情報処理装置３００が映像のショットサイズを判定する場合の動作を示すフローチャートを図８に示す。
ステップＳ８０１では、撮影パラメータ取得手段３０１は、撮像装置を用いて映像を撮影した際の撮影パラメータを取得する。
【００５２】
例えば、撮影パラメータ取得手段３０１は、図３に図示していない外部の撮像装置から、図４の撮影パラメータテーブル４００を取得する。
ステップＳ８０２では、撮影パラメータ取得手段３０１は、ステップＳ８０１で取得した撮影パラメータを撮影範囲算出手段３０２に登録する。
例えば、撮影パラメータ取得手段３０１は、図４の撮影パラメータテーブル４００を撮影範囲算出手段３０２に登録する。
【００５３】
ステップＳ８０３では、撮影範囲算出手段３０２は、ステップＳ８０２で登録された撮影パラメータに基づいて、撮影した映像の撮影範囲の高さを算出する。
例えば、撮影範囲算出手段３０２は、図４の撮影パラメータテーブル４００に基づいて、図５の撮影範囲テーブル５００を算出（生成）する。
ステップＳ８０４では、撮影範囲算出手段３０２は、ステップＳ８０３で算出した撮影範囲の高さをショットサイズ判定手段３０６に登録する。
【００５４】
例えば、撮影範囲算出手段３０２は、図５の撮影範囲テーブル５００をショットサイズ判定手段３０６に登録する。
ステップＳ８０５では、対応関係選択手段３０５は、選択指示入力手段３０４から選択指示が登録されるのを待ち、選択指示が登録された後に、ステップＳ８０６へ移行する。
例えば、対応関係選択手段３０５は、選択指示入力手段３０４から選択指示が登録されるのを待ち、図７の選択指示テーブル７００が登録された後に、ステップＳ８０６へ移行する。
【００５５】
ステップＳ８０６では、対応関係選択手段３０５は、ステップＳ８０５で登録された選択指示に基づいて、対応関係保持手段３０３において保持されている、映像のショットサイズを判定するために必要となる対応関係を選択（取得）する。
例えば、対応関係選択手段３０５は、図７の選択指示テーブル７００に基づいて、図６の対応関係テーブル６００を選択（取得）する。
【００５６】
ステップＳ８０７では、対応関係選択手段３０５は、ステップＳ８０６で選択（取得）した対応関係をショットサイズ判定手段３０６に登録する。
例えば、対応関係選択手段３０５は、図６の対応関係テーブル６００をショットサイズ判定手段３０６に登録する。
ステップＳ８０８では、ショットサイズ判定手段３０６は、ステップＳ８０４で登録された撮影範囲の高さとステップＳ８０７で登録された対応関係とに基づいて、ショットサイズを判定する。
【００５７】
例えば、ショットサイズ判定手段３０６は、図５の撮影範囲テーブル５００と図６の対応関係テーブル６００とに基づいて、「ＡＡＡ」という映像識別子４０６を有する映像が、「ウエストショット」というショットサイズ６０７に分類されることを判定する。
（５．その他の実施形態）
（５−１．撮影パラメータ取得手段に係わるその他の実施形態）
なお、本発明の第１実施形態において、撮影パラメータ取得手段３０１は、撮影パラメータとして４個のパラメータを取得・登録しているが、これら以外の撮影パラメータをも取得・登録しても良い。また、例えば、ズーム機能を有していない撮像装置を用いて映像を撮影した場合は、ズーム倍率を撮影パラメータとして取得・登録しなくても良い。実際には、撮影範囲算出手段３０２が撮影範囲の高さを算出するために少なくとも必要となる撮影パラメータを取得・登録すれば良い。
【００５８】
なお、本発明の第１実施形態において、撮影パラメータ取得手段３０１は、映像全体を通じてショットサイズが同一である、単一の映像に関する撮影パラメータを取得・登録しているが、撮影パラメータは、この通りに限定されるものではない。すなわち、各映像全体を通じてショットサイズが同一である、複数の映像に関する撮影パラメータを一括して取得・登録しても良い。また、途中でショットサイズが変化するような映像に関する撮影パラメータを取得・登録することも可能である。この場合には、例えば、時・分・秒及びフレーム数を表すタイムコードなどを用いて、ショットサイズが同一である映像区間を指定すると共に、その映像区間毎の撮影パラメータを指定することが望ましい。
【００５９】
ショットサイズが変化する映像の一例を示す説明図を図２２に示す。
図２２は、「００：００：００：００」というタイムコード２２０１で始まり、「００：０１：１９：５９」というタイムコード２２０３で終わる（すなわち、時間長が１分２０秒である）映像２２００のショットサイズが、「００：００：４０：００」というタイムコード２２０３で変化することを示している。
【００６０】
ショットサイズが変化する映像を撮影した場合に撮影パラメータ取得手段３０１が取得する、撮影パラメータテーブルの一例を図２３に示す。
この撮影パラメータテーブル２３００は、映像識別子４０１、開始点２３０１、終了点２３０２、受光部の高さ４０２、焦点距離４０３、被写体距離４０４、ズーム倍率４０５などの項目で構成されている。
【００６１】
図示した例では、撮影パラメータテーブル２３００は、「ＦＦＦ」という映像識別子２３０３を有する映像が、「００：００：００：００」という開始点のタイムコード２２０１と「００：００：３９：２９」という終了点のタイムコード２３０４とによって形成される映像区間（映像区間１）と、「００：００：４０：００」という開始点のタイムコード２２０２と「００：０１：１９：２９」という終了点のタイムコード２２０３とによって形成される映像区間（映像区間２）とによって構成されることを示している。また、映像区間１は、「１０ｍｍ」という受光部の高さ４０７を持つ撮像装置を用いて、「５０ｍｍ」という焦点距離４０８、「７．５ｍ」という被写体距離４０９、「１」というズーム倍率４１０の下で撮影された映像であることを示している。また、映像区間２は、「１０ｍｍ」という受光部の高さ４０７を持つ撮像装置を用いて、「５０ｍｍ」という焦点距離４０８、「７．５ｍ」という被写体距離４０９、「２」というズーム倍率２３０５の下で撮影された映像であることを示している。
【００６２】
（５−２．対応関係選択手段に係わるその他の実施形態）
なお、本発明の第１実施形態において、対応関係選択手段３０５は、選択指示入力手段３０４から選択指示が登録されるのを待っているが、選択指示の登録タイミングは、この通りに限定されるものではない。すなわち、ショットサイズ判定手段３０６が映像のショットサイズを判定する時点で、必要となる対応関係が選択（取得）され、ショットサイズ判定手段３０６に登録されていれば、選択指示の登録タイミングは不問である。
【００６３】
なお、本発明の第１実施形態において、対応関係選択手段３０５は、登録された選択指示に基づいて、映像のショットサイズを判定するために必要となる対応関係を選択（取得）しているが、同一の被写体を撮影した映像のショットサイズを判定する場合には、この通りに限定されるものではない。すなわち、映像のショットサイズを判定するために必要となる対応関係が唯一の場合には、選択指示入力手段３０４や対応関係選択手段３０５は不要である。この場合には、図８のステップＳ８０４で撮影範囲の高さをショットサイズ判定手段３０６に登録した後に、ステップＳ８０７へ移行し、ステップＳ８０７では、対応関係保持手段３０３は、保持している唯一の対応関係をショットサイズ判定手段３０６に登録する。
【００６４】
〈第２実施形態〉
（１．ショットサイズを判別する仕組みの概要）
本発明の第２実施形態に係わる情報処理装置は、本発明の第１実施形態に係わる情報処理装置と同様に、ある映像を撮影した際の撮影パラメータから、撮影範囲の高さを算出し、さらに、情報処理装置の操作者や情報処理装置に接続された外部システムによって入力される初期指示に基づいて撮影範囲の高さとショットサイズとの対応関係を生成し、その対応関係を参照することで、算出した撮影範囲の高さから、その映像のショットサイズを判定するものである。
【００６５】
（１−１．撮影範囲の高さとショットサイズとの対応関係）
撮影範囲の高さとショットサイズとの対応関係は、本発明の第１実施形態と同様である。
（１−２．撮影パラメータから撮影範囲の高さを算出する方法）
撮影パラメータから撮影範囲の高さを算出する方法は、本発明の第１実施形態と同様である。
【００６６】
（１−３．初期指示に基づいて対応関係を算出する方法）
ある定義を持ったショットサイズの下で任意の被写体を含む映像を撮影すると、撮影した映像の撮影範囲の高さは、それぞれの映像を撮影する際に適用したショットサイズの定義に応じた比率を持つ。例えば、図１に示した例では、映像１０１〜１０５の撮影範囲の高さは、それぞれ「４０ｃｍ」、「１００ｃｍ」、「１５０ｃｍ」、「２２０ｃｍ」、「５００ｃｍ」であることから、それぞれ「４」、「１０」、「１５」、「２２」、「５０」という比率を持つ。
【００６７】
ここで、例えば、映像１０１が被写体１００を初めて撮影した映像であるすると、この映像の撮影範囲の高さ「４０ｃｍ」に、相対比率「１０／４」、「１５／４」、「２２／４」、「５０／４」を乗じることで、他の映像１０２〜１０５の撮影範囲の高さを算出できる。すなわち、ある被写体を初めて撮影した映像の初期ショットサイズが判れば、この映像の撮影範囲の高さに、初期ショットサイズの比率に対する相対比率を乗じることで、同じ被写体を他のショットサイズで撮影した映像の、代表的な撮影範囲の高さを算出できる。
【００６８】
ところで、撮影時に使用されるショットサイズの種別は有限であるため、任意の撮影範囲の高さで撮影した映像は、これら有限個のショットサイズのいずれかに分類される必要がある。すなわち、これら有限個のショットサイズは、それぞれが対応する撮影範囲の高さに関して一定の幅（レンジ）を持っている必要があり、かつ、全てのショットサイズによって、全ての撮影範囲の高さが網羅的に対応付けされている必要がある。
【００６９】
従って、ある被写体の初期ショットサイズと、判定対象となるショットサイズ毎の比率とを初期指示として与える（入力する）ことで、各ショットサイズと対応する代表的な撮影範囲の高さを算出し、さらに、算出した代表的な撮影範囲の高さを基準として、各ショットサイズと対応する撮影範囲の高さに一定の幅（レンジ）を持たせることで、この被写体に関する撮影範囲の高さとショットサイズとの対応関係を得ることができる。
【００７０】
ところで、ショットサイズ毎の比率は、撮影した被写体に固有の値ではなく、同じ定義のショットサイズの下で撮影した場合には、任意の被写体に対して成り立つものである。従って、異なる被写体を撮影した場合には、その異なる被写体に関する初期ショットサイズを新たな初期指示として与える（入力する）ことで、その異なる被写体に関する撮影範囲の高さとショットサイズとの対応関係を新たに得ることができる。
【００７１】
（２．全体構成）
本発明の第２実施形態の情報処理装置の概略構成を示す機能ブロック図を図９に示す。
本発明の第２実施形態に係る情報処理装置９００は、撮影パラメータ取得手段３０１、撮影範囲算出手段９０１、初期指示入力手段９０２、対応関係生成手段９０３、対応関係保持手段３０３、選択指示入力手段３０４、対応関係選択手段３０５、ショットサイズ判定手段３０６を備えている。
【００７２】
撮影パラメータ取得手段３０１は、撮像装置を用いて映像を撮影した際の撮影パラメータを取得するものであって、取得された撮影パラメータは、撮影範囲算出手段９０１に登録される。
撮影範囲算出手段９０１は、撮影パラメータ取得手段３０１から登録された撮影パラメータに基づいて、撮像装置を用いて撮影した映像の撮影範囲の高さを算出するものであって、算出された撮影範囲の高さは、対応関係生成手段９０３またはショットサイズ判定手段３０６に登録される。
【００７３】
初期指示入力手段９０２は、情報処理装置９００の操作者や情報処理装置９００に接続された外部システムなどが初期指示を入力するものであって、入力された初期指示は、対応関係生成手段９０３に登録される。
対応関係生成手段９０３は、撮影範囲算出手段９０１から登録された撮影範囲の高さと初期指示入力手段９０２から登録された初期指示とに基づいて、撮影範囲の高さとショットサイズとの対応関係を生成するものであって、生成された対応関係は、対応関係保持手段３０３に登録される。
【００７４】
対応関係保持手段３０３は、対応関係生成手段９０３から登録された対応関係を保持するものであって、保持された対応関係は、後述の、選択指示入力手段３０４から登録される選択指示に基づいて、対応関係選択手段３０５から選択（取得）される。
選択指示入力手段３０４は、情報処理装置９００の操作者や情報処理装置９００に接続された外部システムなどが選択指示を入力するものであって、入力された選択指示は、対応関係選択手段３０５に登録される。
【００７５】
対応関係選択手段３０５は、本発明の第１実施形態のものと同様である。
ショットサイズ判定手段３０６は、撮影範囲算出手段９０１から登録された撮影範囲の高さと対応関係選択手段３０５から登録された対応関係とに基づいて、撮像装置を用いて撮影した映像のショットサイズを判定する。
（３．各手段の詳細）
（３−１．撮影パラメータ取得手段の動作例）
撮影パラメータ取得手段３０１が取得する、撮影パラメータの情報テーブル（撮影パラメータテーブル）の一例を図１０に示す。
【００７６】
この撮影パラメータテーブル１０００は、図４の撮影パラメータテーブル４００と同様に、映像識別子４０１、受光部の高さ４０２、焦点距離４０３、被写体距離４０４、ズーム倍率４０５などの項目で構成されている。
図示した例では、撮影パラメータテーブル１０００は、「ＣＣＣ」という映像識別子１００１を有する映像が、その映像全体を通じて、「１０ｍｍ」という受光部の高さ４０７を持つ撮像装置を用いて、「３０ｍｍ」という焦点距離１００２、「６０ｍ」という被写体距離１００３、「５」というズーム倍率１００４の下で撮影された映像であることを示している。
【００７７】
本発明の第２実施形態では、撮影パラメータ取得手段３０１は、ある時に、例えば、図４の撮影パラメータテーブル４００を取得したものとする。このとき、撮影パラメータ取得手段３０１は、本発明の第１実施形態と同様に、取得した撮影パラメータテーブル４００を撮影範囲算出手段９０１に登録する。
また、本発明の第２実施形態では、撮影パラメータ取得手段３０１は、ある時に、例えば、図１０の撮影パラメータテーブル１０００を取得したものとする。このとき、撮影パラメータ取得手段３０１は、取得した撮影パラメータテーブル１０００を撮影範囲算出手段９０１に登録する。
【００７８】
（３−２．撮影範囲算出手段の動作例）
撮影範囲算出手段９０１が算出する、撮影範囲の高さの情報テーブル（撮影範囲テーブル）の一例を図１１に示す。
この撮影範囲テーブル１１００は、図５の撮影範囲テーブル５００と同様に、映像識別子４０１、撮影範囲の高さ５０１などの項目で構成されている。
【００７９】
図示した例では、撮影範囲テーブル１１００は、「ＣＣＣ」という映像識別子１００１を有する映像が、「４００ｃｍ」という撮影範囲の高さ１１０１を持つことを示している。
本発明の第２実施形態では、ある時に、撮影パラメータ取得手段３０１から、例えば、図４の撮影パラメータテーブル４００が登録されたものとする。このとき、撮影範囲算出手段９０１は、撮影パラメータテーブル４００に基づいて、例えば、図５の撮影範囲テーブル５００を算出する。すなわち、撮影範囲算出手段９０１は、「１０ｍｍ」という受光部の高さ４０７、「５０ｍｍ」という焦点距離４０８、「７．５ｍ」という被写体距離４０９、「１」というズーム倍率４１０を、それぞれ、前述の撮影範囲の高さの算出式（２）の「ｈ」、「ｄ」、「Ｄ」、「ｎ」に代入することで「１５０ｃｍ」という撮影範囲の高さ５０２を算出する。このとき、算出した撮影範囲テーブル５００は、対応関係生成手段９０３またはショットサイズ判定手段３０６に登録される。
【００８０】
また、本発明の第２実施形態では、ある時に、撮影パラメータ取得手段３０１から、例えば、図１０の撮影パラメータテーブル１０００が登録されたものとする。このとき、撮影範囲算出手段９０１は、撮影パラメータテーブル１０００に基づいて、例えば、図１１の撮影範囲テーブル１１００を算出する。すなわち、撮影範囲算出手段９０１は、「１０ｍｍ」という受光部の高さ４０７、「３０ｍｍ」という焦点距離１００２、「６０ｍ」という被写体距離１００３、「５」というズーム倍率１００４を、それぞれ、前述の撮影範囲の高さの算出式（２）の「ｈ」、「ｄ」、「Ｄ」、「ｎ」に代入することで「４００ｃｍ」という撮影範囲の高さ１１０１を算出する。このとき、算出した撮影範囲テーブル１１００は、対応関係生成手段９０３またはショットサイズ判定手段３０６に登録される。
【００８１】
（３−３．初期指示入力手段の動作例）
初期指示入力手段９０２を用いて情報処理装置９００の操作者や情報処理装置９００に接続された外部システムなどが入力する、第１の初期指示の情報テーブル（第１初期指示テーブル）の一例を図１２に示す。
この第１初期指示テーブル１２００は、映像識別子４０１、初期ショットサイズ１２０１などの項目で構成されている。
【００８２】
図示した例では、第１初期指示テーブル１２００は、「ＡＡＡ」という映像識別子４０６を有する映像が、「ウエストショット」という初期ショットサイズ１２０２に分類されることを示している。
初期指示入力手段９０２を用いて情報処理装置９００の操作者や情報処理装置９００に接続された外部システムなどが入力する、第２の初期指示の情報テーブル（第２初期指示テーブル）の一例を図１３に示す。
【００８３】
この第２初期指示テーブル１３００は、定義体識別子１３０１、ショットサイズ６０２、定義１３０２、比率１３０３などの項目で構成されている。
図示した例では、第２初期指示テーブル１３００は、「ＤＤＤ」という定義体識別子１３０４を有する定義体であり、「クローズショット」というショットサイズ６０５、「バストショット」というショットサイズ６０６、「ウエストショット」というショットサイズ６０７、「フルショット」というショットサイズ６０８、「ロングショット」というショットサイズ６０９を持つことを示している。また、ショットサイズ６０５は、「接写」という定義１３０５と「４」という比率１３１０とを持つことを示している。また、ショットサイズ６０６は、「半身」という定義１３０６と「１０」という比率１３１１とを持つことを示している。また、ショットサイズ６０７は、「七分身」という定義１３０７と「１５」という比率１３１２とを持つことを示している。また、ショットサイズ６０８は、「全景」という定義１３０８と「２０」という比率１３１３とを持つことを示している。また、ショットサイズ６０９は、「遠景」という定義１３０９と「５０」という比率１３１４とを持つことを示している。
【００８４】
本発明の第２実施形態では、例えば、情報処理装置９００の操作者や情報処理装置９００に接続された外部システムなどによって図１２の第１初期指示テーブル１２００と図１３の第２初期指示テーブル１３００とが入力されたものとする。このとき、初期指示入力手段９０２は、入力された第１初期指示テーブル１２００と第２初期指示テーブル１３００とを対応関係生成手段９０３に登録する。
【００８５】
（３−４．対応関係生成手段の動作例）
本発明の第２実施形態では、ある時に、撮影範囲算出手段９０１から、例えば、図１１の撮影範囲テーブル１１００が登録され、さらに、初期指示入力手段９０２から、例えば、図１２の第１初期指示テーブル１２００と図１３の第２初期指示テーブル１３００とが登録されたものとする。このとき、対応関係生成手段９０３は、撮影範囲テーブル１１００と第１初期指示テーブル１２００と第２初期指示テーブル１３００とに基づいて、図６の対応関係テーブル６００を生成し、生成した対応関係テーブル６００を対応関係保持手段３０３に登録する。対応関係生成手段９０３が対応関係テーブルを生成する方法については、（５．対応関係を生成する方法の詳細）にて後述する。
【００８６】
（３−５．対応関係保持手段の動作例）
本発明の第２実施形態では、ある時に、対応関係生成手段９０３から、例えば、図６の対応関係テーブル６００が登録されたものとする。このとき、対応関係保持手段３０３は、その内部に存在する対応関係保持領域なるメモリ領域内に、登録された対応関係テーブル６００を含む複数の対応関係を保持し、保持された対応関係テーブル６００は、後述の、選択指示入力手段３０４から登録される選択指示に基づいて、対応関係選択手段３０５の内部に存在する対応関係保持領域から選択（取得）される。ここで、対応関係保持領域内の対応関係は、対応関係選択手段３０５から選択（取得）された後も、この対応関係保持領域内に存在し続けるものとする。
【００８７】
（３−６．選択指示入力手段の動作例）
選択指示入力手段３０４を用いて情報処理装置９００の操作者や情報処理装置９００に接続された外部システムなどが入力する、選択指示の情報テーブル（選択指示テーブル）の一例を図１４に示す。
この選択指示テーブル１４００は、映像識別子４０１、対応関係識別子６０１などの項目で構成されている。
【００８８】
図示した例では、選択指示テーブル１４００は、「ＣＣＣ」という映像識別子１００１を有する映像に対して、「ＢＢＢ」という対応関係識別子６０４を持つ対応関係を選択することを示している。
本発明の第２実施形態では、ある時に、選択指示入力手段３０４において、例えば、図７の選択指示テーブル７００が入力されたものとする。このとき、選択指示入力手段３０４は、本発明の第１実施形態と同様に、入力された選択指示テーブル７００を対応関係選択手段３０５に登録する。
【００８９】
また、本発明の第２実施形態では、ある時に、選択指示入力手段３０４において、例えば、図１４の選択指示テーブル１４００が入力されたものとする。このとき、選択指示入力手段３０４は、入力された選択指示テーブル１４００を対応関係選択手段３０５に登録する。
（３−７．対応関係選択手段の動作例）
本発明の第２実施形態では、ある時に、選択指示入力手段３０４から、例えば、図７の選択指示テーブル７００が登録されたものとする。このとき、対応関係選択手段３０５は、本発明の第１実施形態と同様に、選択指示テーブル７００の「ＢＢＢ」という対応関係識別子６０４に基づいて、対応関係保持手段３０３から、例えば、図６の対応関係テーブル６００を選択（取得）し、選択（取得）した対応関係テーブル６００をショットサイズ判定手段３０６に登録する。
【００９０】
（３−８．ショットサイズ判定手段の動作例）
本発明の第２実施形態では、ある時に、撮影範囲算出手段３０２から、例えば、図５の撮影範囲テーブル５００が登録され、さらに、対応関係選択手段３０５から、例えば、図６の対応関係テーブル６００が登録されたものとする。このとき、ショットサイズ判定手段３０６は、本発明の第１実施形態と同様に、撮影範囲テーブル５００と対応関係テーブル６００とに基づいて、「ＡＡＡ」という映像識別子４０６を有する映像が、「ウエストショット」というショットサイズ６０７に分類されることを判定する。すなわち、ショットサイズ判定手段３０６は、「１５０ｃｍ」という撮影範囲の高さ５０２が「１２５ｃｍ以上、１８５ｃｍ未満」という撮影範囲の高さのレンジ６１２に含まれると判断する。
【００９１】
また、本発明の第２実施形態では、ある時に、撮影範囲算出手段３０２から、例えば、図１１の撮影範囲テーブル１１００が登録され、さらに、対応関係選択手段３０５から、例えば、図６の対応関係テーブル６００が登録されたものとする。このとき、ショットサイズ判定手段３０６は、撮影範囲テーブル１１００と対応関係テーブル６００とに基づいて、「ＣＣＣ」という映像識別子１００１を有する映像が、「ロングショット」というショットサイズ６０９に分類されることを判定する。すなわち、ショットサイズ判定手段３０６は、「４００ｃｍ」という撮影範囲の高さ１１０１が「３６０ｃｍ以上」という撮影範囲の高さのレンジ６１４に含まれると判断する。
【００９２】
（４．全体処理の詳細）
この第２実施形態において、情報処理装置９００が映像のショットサイズを判定する場合の動作を示すフローチャートを図１５に示す。
ステップS１５０１では、撮影パラメータ取得手段３０１は、撮像装置を用いて映像を撮影した際の撮影パラメータを取得する。
【００９３】
ステップＳ１５０２では、撮影パラメータ取得手段３０１は、ステップS１５０１で取得した撮影パラメータを撮影範囲算出手段９０１に登録する。
ステップＳ１５０３では、撮影範囲算出手段９０１は、ステップＳ１５０２で登録された撮影パラメータに基づいて、撮影した映像の撮影範囲の高さを算出する。
ステップＳ１５０４では、対応関係選択手段３０５は、選択指示入力手段３０４から選択指示が登録されるのを待ち、選択指示が登録された後に、ステップＳ１５０５へ移行する。
【００９４】
ステップＳ１５０５では、撮影範囲算出手段９０１は、ステップＳ１５０４で登録された選択指示に基づいて、映像のショットサイズを判定するために必要となる対応関係が対応関係保持手段３０３において保持されているか否かを判定し、必要となる対応関係が対応関係保持手段３０３において保持されていると判断した場合には、ステップＳ１５１２に移行し、そうでない場合には、ステップＳ１５０６に移行する。
【００９５】
ステップＳ１５０６では、撮影範囲算出手段９０１は、ステップＳ１５０３で算出した撮影範囲の高さを対応関係生成手段９０３に登録するとともに、必要となる対応関係が対応関係保持手段３０３において保持されるまで、算出した撮影範囲の高さを保持する。
ステップＳ１５０７では、対応関係生成手段９０３は、初期指示入力手段９０２から初期指示が登録されるのを待ち、初期指示が登録された後に、ステップＳ１５０８へ移行する。
【００９６】
ステップＳ１５０８では、対応関係生成手段９０３は、ステップＳ１５０６で登録された撮影範囲の高さとステップＳ１５０７で登録された初期指示とに基づいて、撮影範囲の高さとショットサイズとの対応関係を生成する。
ステップＳ１５０９では、対応関係生成手段９０３は、ステップＳ１５０８で生成した対応関係を対応関係保持手段３０３に登録する。
【００９７】
ステップＳ１５１０では、対応関係保持手段３０３は、ステップＳ１５０９で登録された対応関係を保持する。
ステップＳ１５１１では、対応関係保持手段３０３は、ステップＳ１５０９で登録された（ステップＳ１５１０で保持した）対応関係を保持している旨を撮影範囲算出手段９０１に通知し、ステップＳ１５０５に戻る。
【００９８】
ステップＳ１５１２では、撮影範囲算出手段９０１は、ステップＳ１５０３で算出した（ステップＳ１５０６で保持した）撮影範囲の高さをショットサイズ判定手段３０６に登録する。
ステップＳ１５１３では、対応関係選択手段３０５は、ステップＳ１５０４で登録された選択指示に基づいて、ステップＳ１５１０で対応関係保持手段３０３において保持されている、映像のショットサイズを判定するために必要となる対応関係を選択（取得）する。
【００９９】
ステップＳ１５１４では、対応関係選択手段３０５は、ステップＳ１５１３で選択（取得）した対応関係をショットサイズ判定手段３０６に登録する。
ステップＳ１５１５では、ショットサイズ判定手段３０６は、ステップＳ１５１２で登録された撮影範囲の高さとステップＳ１５１４で登録された対応関係とに基づいて、ショットサイズを判定する。
【０１００】
以下、この第２実施形態において、映像のショットサイズを判定するために必要となる対応関係が対応関係保持手段３０３において保持されている場合と保持されていない場合とに分けて、情報処理装置９００が映像のショットサイズを判定する場合の動作を示す。
（４−１．対応関係が保持されていない場合の動作例）
まず、例えば、撮像装置を用いて映像を１回目に撮影するなど、映像のショットサイズを判定するために必要となる対応関係が対応関係保持手段３０３において保持されていない場合の、情報処理装置９００が映像のショットサイズを判定する場合の動作の例を以下に示す。
【０１０１】
ステップＳ１５０１では、撮影パラメータ取得手段３０１は、例えば、図９に図示していない外部の撮像装置から、図４の撮影パラメータテーブル４００を取得する。
ステップＳ１５０２では、撮影パラメータ取得手段３０１は、図４の撮影パラメータテーブル４００を撮影範囲算出手段９０１に登録する。
ステップＳ１５０３では、撮影範囲算出手段９０１は、図４の撮影パラメータテーブル４００に基づいて、例えば、図５の撮影範囲テーブル５００を算出（生成）する。
【０１０２】
ステップＳ１５０４では、対応関係選択手段３０５は、選択指示入力手段３０４から選択指示が登録されるのを待ち、例えば、図７の選択指示テーブル７００が登録された後に、ステップＳ１５０５へ移行する。
ステップＳ１５０５では、図７の選択指示テーブル７００の「ＢＢＢ」という対応関係識別子６０４に基づいて、必要となる対応関係が対応関係保持手段３０３において保持されているか否かを判定する。ここでは、「ＢＢＢ」という対応関係識別子６０４を持つ対応関係が保持されていないため、ステップＳ１５０６に移行する。
【０１０３】
ステップＳ１５０６では、撮影範囲算出手段９０１は、図５の撮影範囲テーブル５００を対応関係生成手段９０３に登録するとともに、必要となる対応関係が対応関係保持手段３０３において保持されるまで、撮影範囲テーブル５００を保持する。
ステップＳ１５０７では、対応関係生成手段９０３は、初期指示入力手段９０２から初期指示が登録されるのを待ち、例えば、図１２の第１初期指示テーブル１２００と図１３の第２初期指示テーブル１３００とが登録された後に、ステップＳ１５０８へ移行する。
【０１０４】
ステップＳ１５０８では、対応関係生成手段９０３は、図５の撮影範囲テーブル５００と図１２の第１初期指示テーブル１２００と図１３の第２初期指示テーブル１３００とに基づいて、例えば、図６の対応関係テーブル６００を生成する。
ステップＳ１５０９では、対応関係生成手段９０３は、図６の対応関係テーブル６００を対応関係保持手段３０３に登録する。
【０１０５】
ステップＳ１５１０では、対応関係保持手段３０３は、図６の対応関係テーブル６００を保持する。
ステップＳ１５１１では、対応関係保持手段３０３は、図６の対応関係テーブル６００を保持している旨を撮影範囲算出手段９０１に通知し、ステップＳ１５０５に戻る。
ステップＳ１５０５では、必要となる対応関係である、図６の対応関係テーブル６００が対応関係保持手段３０３において保持されているため、ステップＳ１５１２に移行する。
【０１０６】
ステップＳ１５１２では、撮影範囲算出手段９０１は、図５の撮影範囲テーブル５００をショットサイズ判定手段３０６に登録する。
ステップＳ１５１３では、対応関係選択手段３０５は、図７の選択指示テーブル７００に基づいて、図６の対応関係テーブル６００を選択（取得）する。
ステップＳ１５１４では、対応関係選択手段３０５は、図６の対応関係テーブル６００をショットサイズ判定手段３０６に登録する。
【０１０７】
ステップＳ１５１５では、ショットサイズ判定手段３０６は、図５の撮影範囲テーブル５００と図６の対応関係テーブル６００とに基づいて、「ＡＡＡ」という映像識別子４０６を有する映像が、「ウエストショット」というショットサイズ６０７に分類されることを判定する。
（４−２．対応関係が保持されている場合の動作例）
次に、例えば、撮像装置を用いて撮影済み映像に含まれる被写体を２回目に撮影するなど、映像のショットサイズを判定するために必要となる対応関係が対応関係保持手段３０３において保持されている場合の、情報処理装置９００が映像のショットサイズを判定する場合の動作の例を以下に示す。
【０１０８】
ステップＳ１５０１では、撮影パラメータ取得手段３０１は、例えば、図９に図示していない外部の撮像装置から、図１０の撮影パラメータテーブル１０００を取得する。
ステップＳ１５０２では、撮影パラメータ取得手段３０１は、図１０の撮影パラメータテーブル１０００を撮影範囲算出手段９０１に登録する。
ステップＳ１５０３では、撮影範囲算出手段９０１は、図１０の撮影パラメータテーブル１０００に基づいて、例えば、図１１の撮影範囲テーブル１１００を算出（生成）する。
【０１０９】
ステップＳ１５０４では、対応関係選択手段３０５は、選択指示入力手段３０４から選択指示が登録されるのを待ち、例えば、図１４の選択指示テーブル１４００が登録された後に、ステップＳ１５０５へ移行する。
ステップＳ１５０５では、選択指示テーブル１４００の「ＢＢＢ」という対応関係識別子６０４に基づいて、必要となる対応関係が対応関係保持手段３０３において保持されているか否かを判定する。ここでは、「ＢＢＢ」という対応関係識別子６０４を持つ、図６の対応関係テーブル６００が対応関係保持手段３０３において保持されているため、ステップＳ１５１２に移行する。
【０１１０】
ステップＳ１５１２では、撮影範囲算出手段９０１は、図１１の撮影範囲テーブル１１００をショットサイズ判定手段３０６に登録する。
ステップＳ１５１３では、対応関係選択手段３０５は、図１４の選択指示テーブル１４００に基づいて、図６の対応関係テーブル６００を選択（取得）する。
ステップＳ１５１４では、対応関係選択手段３０５は、図６の対応関係テーブル６００をショットサイズ判定手段３０６に登録する。
【０１１１】
ステップＳ１５１５では、ショットサイズ判定手段３０６は、図１１の撮影範囲テーブル１１００と図６の対応関係テーブル６００とに基づいて、「ＣＣＣ」という映像識別子１００１を有する映像が、「ロングショット」というショットサイズ６０９に分類されることを判定する。
（５．対応関係を生成する方法の詳細）
対応関係生成手段９０３が生成する、撮像装置を用いて撮影した映像に関する撮影範囲の高さと初期ショットサイズとの１次対応関係の情報テーブル（１次対応関係テーブル）の一例を図１６に示す。
【０１１２】
この１次対応関係テーブル１６００は、初期ショットサイズ１２０１、撮影範囲の高さ５０１などの項目で構成されている。
図示した例では、１次対応関係テーブル１６００は、「ウエストショット」という初期ショットサイズ１２０２が、「１５０ｃｍ」という撮影範囲の高さ５０２を持つことを示している。
【０１１３】
対応関係生成手段９０３が生成する、撮像装置を用いて撮影した映像に関する（代表的な）撮影範囲の高さとショットサイズとの２次対応関係の情報テーブル（２次対応関係テーブル）の一例を図１７に示す。
この２次対応関係テーブル１７００は、ショットサイズ６０２、撮影範囲の高さ５０１などの項目で構成されている。
【０１１４】
図示した例では、２次対応関係テーブル１７００は、「クローズショット」というショットサイズ６０５、「バストショット」というショットサイズ６０６、「ウエストショット」というショットサイズ６０７、「フルショット」というショットサイズ６０８、「ロングショット」というショットサイズ６０９を持つことを示している。また、ショットサイズ６０５は「４０ｃｍ」という（代表的な）撮影範囲の高さ１７０１を持ち、ショットサイズ６０６は「１００ｃｍ」という（代表的な）撮影範囲の高さ１７０２を持ち、ショットサイズ６０７は「１５０ｃｍ」という（代表的な）撮影範囲の高さ１７０３を持ち、ショットサイズ６０８は「２２０ｃｍ」という（代表的な）撮影範囲の高さ１７０４を持ち、ショットサイズ６０９は「５００ｃｍ」という（代表的な）撮影範囲の高さ１７０５を持つことを示している。
【０１１５】
この第２実施形態において、対応関係生成手段９０３が対応関係を生成する場合の動作を示すフローチャートを図１８に示す。
ステップＳ１８０１では、対応関係生成手段９０３は、図１５のステップＳ１５０６で登録された撮影範囲の高さと図１５のステップＳ１５０７で登録された初期指示とに基づいて、撮影範囲の高さと初期ショットサイズとの１次対応関係を生成する。
【０１１６】
例えば、図１５のステップＳ１５０６で図５の撮影範囲テーブル５００登録され、図１５のステップＳ１５０７で図１２の第１初期指示テーブル１２００が登録されたとする。このとき、対応関係生成手段９０３は、撮影範囲テーブル５００と第１初期指示テーブル１２００とに基づいて、例えば、図１６の１次対応関係テーブル１６００を生成する。すなわち、対応関係生成手段９０３は、映像識別子４０６に基づいて、「１５０ｃｍ」という撮影範囲の高さ５０２を、「ウエストショット」という初期ショットサイズ１２０２と対応付ける。
【０１１７】
ステップＳ１８０２〜Ｓ１８０５では、対応関係生成手段９０３は、ステップＳ１８０１で生成した１次対応関係と図１５のステップＳ１５０７で登録された初期指示とに基づいて、（代表的な）撮影範囲の高さとショットサイズとの２次対応関係を生成する。
例えば、図１５のステップＳ１５０７で図１３の第２初期指示テーブル１３００が登録されたとする。このとき、対応関係生成手段９０３は、ステップＳ１８０１で生成した図１６の１次対応関係テーブル１６００と第２初期指示テーブル１３００とに基づいて、例えば、図１７の２次対応関係テーブル１７００を生成する。すなわち、対応関係生成手段９０３は、比率１３１０〜１３１４に基づいて、初期ショットサイズ１２０２を基準とする相対比率を算出し、これらの相対比率に初期ショットサイズ１２０２の撮影範囲の高さ５０２を乗じることで各ショットサイズの（代表的な）撮影範囲の高さを算出する。
【０１１８】
以下、対応関係生成手段９０３が（代表的な）撮影範囲の高さとショットサイズとの２次対応関係を生成する際の処理を、順を追って説明する。
ステップＳ１８０２では、対応関係生成手段９０３は、図１５のステップＳ１５０７で登録された初期指示に基づいて、全てのショットサイズの（代表的な）撮影範囲の高さが算出済みであるかを判断し、全てのショットサイズの（代表的な）撮影範囲の高さが算出済みであると判断した場合には、ステップＳ１８０５に移行し、そうでない場合には、ステップＳ１８０３に移行する。
【０１１９】
例えば、対応関係生成手段９０３は、図１３の第２初期指示テーブル１３００に基づいて、ショットサイズ６０５〜６０９の（代表的な）撮影範囲の高さが算出済みであるかを判断し、ショットサイズ６０５〜６０９の（代表的な）撮影範囲の高さが全て算出済みであると判断した場合には、ステップＳ１８０５に移行し、そうでない場合には、ステップＳ１８０３に移行する。
【０１２０】
ステップＳ１８０３では、対応関係生成手段９０３は、ステップＳ１８０１で生成した１次対応関係と図１５のステップＳ１５０７で登録された初期指示とに基づいて、初期ショットサイズを基準とする、各ショットサイズの相対比率を算出する。
例えば、対応関係生成手段９０３は、ある時に、図１３の第２初期指示テーブル１３００の、「４」という比率１３１０と「１５」という比率１３１２とに基づいて、初期ショットサイズ１２０２を基準とするショットサイズ６０５の相対比率を「（４／１５）」と算出する。
【０１２１】
また、例えば、対応関係生成手段９０３は、ある時に、第２初期指示テーブル１３００の、「１０」という比率１３１１と「１５」という比率１３１２とに基づいて、初期ショットサイズ１２０２を基準とするショットサイズ６０６の相対比率を「（１０／１５）」と算出する。
また、例えば、対応関係生成手段９０３は、ある時に、第２初期指示テーブル１３００の、「１５」という比率１３１１に基づいて、初期ショットサイズ１２０２を基準とするショットサイズ６０７の相対比率を「（１５／１５）」と算出する。
【０１２２】
また、例えば、対応関係生成手段９０３は、ある時に、第２初期指示テーブル１３００の、「２２」という比率１３１３と「１５」という比率１３１２とに基づいて、初期ショットサイズ１２０２を基準とするショットサイズ６０８の相対比率を「（２２／１５）」と算出する。
また、例えば、対応関係生成手段９０３は、ある時に、第２初期指示テーブル１３００の、比率１３１４と比率１３１２とに基づいて、初期ショットサイズ１２０２を基準とするショットサイズ６０９の相対比率を「（５０／１５）」と算出する。
【０１２３】
ステップＳ１８０４では、対応関係生成手段９０３は、ステップＳ１８０１で生成した１次対応関係とステップＳ１８０３で算出した各ショットサイズの相対比率に基づいて、各ショットサイズと対応する（代表的な）撮影範囲の高さを算出し、ステップ１８０２に戻る。
例えば、対応関係生成手段９０３は、ある時に、ステップＳ１８０３で算出した「（４／１５）」という相対比率に、図１６の１次対応関係テーブル１６００の、「１５０ｃｍ」という初期ショットサイズ１２０２の撮影範囲の高さ５０２を乗じることで、「４０ｃｍ」というショットサイズ６０５対応する（代表的な）撮影範囲の高さ１７０１を算出し、ステップ１８０２に戻る。
【０１２４】
また、例えば、対応関係生成手段９０３は、ある時に、ステップＳ１８０３で算出した「（１０／１５）」という相対比率に、１次対応関係テーブル１６００の、初期ショットサイズ１２０２の撮影範囲の高さ５０２を乗じることで、「１００ｃｍ」というショットサイズ６０６対応する（代表的な）撮影範囲の高さ１７０２を算出し、ステップ１８０２に戻る。
【０１２５】
また、例えば、対応関係生成手段９０３は、ある時に、ステップＳ１８０３で算出した「（１５／１５）」という相対比率に、１次対応関係テーブル１６００の、初期ショットサイズ１２０２の撮影範囲の高さ５０２を乗じることで、「１５０ｃｍ」というショットサイズ６０７対応する（代表的な）撮影範囲の高さ１７０３を算出し、ステップ１８０２に戻る。
【０１２６】
また、例えば、対応関係生成手段９０３は、ある時に、ステップＳ１８０３で算出した「（２２／１５）」という相対比率に、１次対応関係テーブル１６００の、初期ショットサイズ１２０２の撮影範囲の高さ５０２を乗じることで、「２２０ｃｍ」というショットサイズ６０８対応する（代表的な）撮影範囲の高さ１７０４を算出し、ステップ１８０２に戻る。
【０１２７】
また、例えば、対応関係生成手段９０３は、ある時に、ステップＳ１８０３で算出した「（５０／１５）」という相対比率に、１次対応関係テーブル１６００の、初期ショットサイズ１２０２の撮影範囲の高さ５０２を乗じることで、「５００ｃｍ」というショットサイズ６０９対応する（代表的な）撮影範囲の高さ１７０５を算出し、ステップ１８０２に戻る。
【０１２８】
ステップＳ１８０５では、対応関係生成手段９０３は、ステップＳ１８０４で算出した、各ショットサイズと対応する（代表的な）撮影範囲の高さに基づいて、撮影範囲の高さとショットサイズとの２次対応関係を生成する。
例えば、対応関係生成手段９０３は、ステップＳ１８０４で算出した、各ショットサイズと対応する（代表的な）撮影範囲の高さ１７０１〜１７０５に基づいて、図１７の２次対応関係テーブル１７００を生成する。
【０１２９】
ステップＳ１８０６〜１８１０では、対応関係生成手段９０３は、ステップＳ１８０５で生成した２次対応関係に基づいて、撮影範囲の高さとショットサイズとの対応関係を生成する。
例えば、ステップＳ１８０５で図１７の２次対応関係テーブル１７００が生成されたとする。このとき、対応関係生成手段９０３は、２次対応関係テーブル１７００に基づいて、例えば、図６の対応関係テーブル６００を生成する。すなわち、対応関係生成手段９０３は、撮影範囲の高さ１７０１〜１７０５に基づいて、ショットサイズ毎の撮影範囲の高さのレンジ６０３を算出する。
【０１３０】
以下、対応関係生成手段９０３が撮影範囲の高さとショットサイズとの対応関係を生成する際の処理を、順を追って説明する。
ステップＳ１８０６では、対応関係生成手段９０３は、ステップＳ１８０５で生成された２次対応関係に基づいて、全てのショットサイズの撮影範囲の高さのレンジが算出済みであるかを判断し、全てのショットサイズの撮影範囲の高さのレンジが算出済みであると判断した場合には、ステップＳ１８１０に移行し、そうでない場合には、ステップＳ１８０７に移行する。
【０１３１】
例えば、対応関係生成手段９０３は、図１７の２次対応関係テーブル１７００に基づいて、ショットサイズ６０５〜６０９の撮影範囲の高さのレンジが算出済みであるかを判断し、ショットサイズ６０５〜６０９の撮影範囲の高さのレンジが全て算出済みであると判断した場合には、ステップＳ１８１０に移行し、そうでない場合には、ステップＳ１８０７に移行する。
【０１３２】
ステップＳ１８０７では、対応関係生成手段９０３は、ステップＳ１８０５で生成された２次対応関係に基づいて、各ショットサイズの撮影範囲の高さのレンジの、全ての境界値が算出済みであるかを判断し、全ての境界値が算出済みであると判断した場合には、ステップＳ１８０９に移行し、そうでない場合には、ステップＳ１８０８に移行する。
ステップＳ１８０８では、対応関係生成手段９０３は、ステップＳ１８０５で生成された２次対応関係に基づいて、各ショットサイズの撮影範囲の高さのレンジの境界値を算出する。
【０１３３】
例えば、対応関係生成手段９０３は、ある時に、図１７の２次対応関係テーブル１７００の、「４０ｃｍ」という撮影範囲の高さ１７０１と「１００ｃｍ」という撮影範囲の高さ１７０２とから、その中間値である「７０ｃｍ」という境界値を算出する。
また、例えば、対応関係生成手段９０３は、ある時に、２次対応関係テーブル１７００の、「１００ｃｍ」という撮影範囲の高さ１７０２と「１５０ｃｍ」という撮影範囲の高さ１７０３とから、その中間値である「１２５ｃｍ」という境界値を算出する。
【０１３４】
また、例えば、対応関係生成手段９０３は、ある時に、２次対応関係テーブル１７００の、「１５０ｃｍ」という撮影範囲の高さ１７０３と「２２０ｃｍ」という撮影範囲の高さ１７０４とから、その中間値である「１８５ｃｍ」という境界値を算出する。
また、例えば、対応関係生成手段９０３は、ある時に、２次対応関係テーブル１７００の、「２２０ｃｍ」という撮影範囲の高さ１７０４と「５００ｃｍ」という撮影範囲の高さ１７０５とから、その中間値である「３６０ｃｍ」とをいう境界値を算出する。
【０１３５】
ステップＳ１８０９では、対応関係生成手段９０３は、ステップＳ１８０８で算出した各ショットサイズの撮影範囲の高さのレンジの境界値に基づいて、各ショットサイズの撮影範囲の高さのレンジを算出する。
例えば、対応関係生成手段９０３は、ある時に、「７０ｃｍ」という境界値から、「７０ｃｍ未満」というショットサイズ６０５対応する撮影範囲の高さのレンジ６１０を算出する。
【０１３６】
また、例えば、対応関係生成手段９０３は、ある時に、「７０ｃｍ」という境界値と「１２５ｃｍ」という境界値とから、「７０ｃｍ以上、１２５ｃｍ未満」というショットサイズ６０６対応する撮影範囲の高さのレンジ６１１を算出する。
また、例えば、対応関係生成手段９０３は、ある時に、「１２５ｃｍ」という境界値と「１８５ｃｍ」という境界値とから、「１２５ｃｍ以上、１８５ｃｍ未満」というショットサイズ６０７対応する撮影範囲の高さのレンジ６１２を算出する。
【０１３７】
また、例えば、対応関係生成手段９０３は、ある時に、「１８５ｃｍ」という境界値と「３６０ｃｍ」という境界値とから、「１８５ｃｍ以上、３６０ｃｍ未満」というショットサイズ６０８対応する撮影範囲の高さのレンジ６１３を算出する。
また、例えば、対応関係生成手段９０３は、ある時に、「３６０ｃｍ」という境界値から、「３６０ｃｍ以上」というショットサイズ６０９対応する撮影範囲の高さのレンジ６１４を算出する。
【０１３８】
ステップＳ１８１０では、対応関係生成手段９０３は、ステップＳ１８０９で算出した、各ショットサイズの撮影範囲の高さのレンジに基づいて、撮影範囲の高さとショットサイズとの２次対応関係を生成する。
例えば、対応関係生成手段９０３は、ステップＳ１８０９で算出した、各ショットサイズの撮影範囲の高さのレンジ６１０〜６１４に基づいて、図６の対応関係テーブル６００を生成する。
【０１３９】
（６．その他の実施形態）
（６−１．撮影パラメータ取得手段に係わるその他の実施形態）
なお、本発明の第２実施形態において、パラメータ取得手段３０１は、撮影パラメータとして４個のパラメータを取得・登録しているが、本発明の第１実施形態と同様に、これら以外の撮影パラメータをも取得・登録しても良い。また、例えば、ズーム機能を有していない撮像装置を用いて映像を撮影した場合は、本発明の第１実施形態と同様に、ズーム倍率を撮影パラメータとして取得・登録しなくても良い。実際には、撮影範囲算出手段９０１が撮影範囲の高さを算出するために少なくとも必要となる撮影パラメータを取得・登録すれば良い。
【０１４０】
なお、本発明の第２実施形態において、撮影パラメータ取得手段３０１は、映像全体を通じてショットサイズが同一である、単一の映像に関する撮影パラメータを取得・登録しているが、本発明の第１実施形態と同様に、撮影パラメータは、この通りに限定されるものではない。すなわち、本発明の第１実施形態と同様に、各映像全体を通じてショットサイズが同一である、複数の映像に関する撮影パラメータを一括して取得・登録しても良い。また、途中でショットサイズが変化するような映像に関する撮影パラメータを取得・登録することも可能である。この場合には、例えば、時・分・秒及びフレーム数を表すタイムコードなどを用いて、ショットサイズが同一である映像区間を指定すると共に、その映像区間毎の撮影パラメータを指定することが望ましい。映像区間毎に撮影パラメータを指定する方法は、本発明の第１実施形態の（５−１．撮影パラメータ取得手段に係わるその他の実施形態）にて前述の通りである。
【０１４１】
（６−２．初期指示入力手段に係わるその他の実施形態）
なお、本発明の第２実施形態において、初期指示入力手段９０２では、第２初期指示としてショットサイズ６０２、定義１３０２、比率１３０３が入力されているが、第２初期指示は、この通りに限定されるものではない。例えば、第２初期指示として定義１３０２が入力されない場合でも、対応関係生成手段９０３は、対応関係を生成できる。実際には、対応関係生成手段９０３が対応関係を生成するために少なくとも必要となる第２初期指示が入力されれば良い。
【０１４２】
なお、本発明の第２実施形態において、初期指示入力手段９０２では、初期指示が第１初期指示と第２初期指示とに分かれて入力されているが、初期指示の入力は、この通りに限定されるものではない。例えば、第１初期指示と第２初期指示と同等の内容が、単一の初期指示として入力されても良い。実際には、対応関係生成手段９０３が対応関係を生成するために少なくとも必要となる初期指示が入力されれば良い。
【０１４３】
（６−３．対応関係生成手段に係わるその他の実施形態）
なお、本発明の第２実施形態において、対応関係生成手段９０３は、各ショットサイズの撮影範囲の高さのレンジの境界値を算出する際に、各ショットサイズの（代表的な）撮影範囲の高さから、その中間値を算出しているが、レンジの境界値の算出方法は、この通りに限定されるものではない。
【０１４４】
なお、本発明の第２実施形態において、対応関係生成手段９０３は、まず１次対応関係を生成し、次いで２次対応関係を生成することで対応関係を生成しているが、対応関係の生成方法は、この通りに限定されるものではない。
（６−４．対応関係選択手段に係わるその他の実施形態）
なお、本発明の第２実施形態において、対応関係保持手段３０３は、その内部に存在する対応関係保持領域なるメモリ領域内に複数の対応関係を保持し続けると述べたが、その保持期間は、この通りに限定されるものではない。例えば、情報処理装置９００の電源断に際して、対応関係保持手段３０３は、対応関係保持領域内に保持している全ての対応関係を消去しても良い。また、例えば、情報処理装置９００の操作者や情報処理装置９００に接続された外部システムなどから入力される消去指示に基づいて、対応関係保持手段３０３は、対応関係保持領域内に保持しているいずれかの対応関係または全ての対応関係を消去しても良い。実際には、映像のショットサイズを判定するために同一の対応関係が必要となる限り、その対応関係を再生成せずに選択（取得）できるように、対応関係保持手段３０３は、その対応関係を保持し続けられることが望ましい。
【０１４５】
（６−５．対応関係選択手段に係わるその他の実施形態）
なお、本発明の第２実施形態において、対応関係選択手段３０５は、選択指示入力手段３０４から選択指示が登録されるのを待っているが、選択指示の登録タイミングは、本発明の第１実施形態と同様に、この通りに限定されるものではない。すなわち、映像のショットサイズを判定するために必要となる対応関係が対応関係保持手段３０３において保持されているか否かを判定する時点で対応関係選択手段３０５に登録されていれば、本発明の第１実施形態と同様に、選択指示の登録タイミングは不問である。
【０１４６】
なお、本発明の第２実施形態において、対応関係選択手段３０５は、登録された選択指示に基づいて、映像のショットサイズを判定するために必要となる対応関係を選択（取得）しているが、本発明の第１実施形態と同様に、同一の被写体を撮影した映像のショットサイズを判定する場合には、この通りに限定されるものではない。すなわち、映像のショットサイズを判定するために必要となる対応関係が唯一の場合には、本発明の第１実施形態と同様に、選択指示入力手段３０４や対応関係選択手段３０５は不要である。この場合には、図１５のステップＳ１５０３で撮影範囲の高さを算出した後に、ステップＳ１５０５へ移行し、ステップＳ１５０５では、対応関係保持手段３０３において対応関係が保持されているか否かを判定する。また、図１５のステップＳ１５１２で撮影範囲の高さをショットサイズ判定手段３０６に登録した後に、ステップＳ１５１４へ移行し、ステップＳ１５１４では、対応関係保持手段３０３は、保持している唯一の対応関係をショットサイズ判定手段３０６に登録する。
【０１４７】
〈第３実施形態〉
（１．ショットサイズを判別する仕組みの概要）
本発明の第３実施形態に係わる情報処理装置は、本発明の第１実施形態に係わる情報処理装置または本発明の第２実施形態に係わる情報処理装置と同様に、ある映像を撮影した際の撮影パラメータから、撮影範囲の高さを算出し、さらに、本発明の第２実施形態に係わる情報処理装置と同様に、情報処理装置の操作者や情報処理装置に接続された外部システムによって入力される初期指示に基づいて撮影範囲の高さとショットサイズとの対応関係を生成し、その対応関係を参照することで、算出した撮影範囲の高さから、その映像のショットサイズを判定するものである。
【０１４８】
（１−１．撮影範囲の高さとショットサイズとの対応関係）
撮影範囲の高さとショットサイズとの対応関係は、本発明の第１実施形態並びに本発明の第２実施形態と同様である。
（１−２．撮影パラメータから撮影範囲の高さを算出する方法）
撮影パラメータから撮影範囲の高さを算出する方法は、本発明の第１実施形態並びに本発明の第２実施形態と同様である。
【０１４９】
（２．全体構成）
本発明の第３実施形態の情報処理装置の概略構成を示す機能ブロック図を図１９に示す。
本発明の第３実施形態に係る情報処理装置１９００は、撮影パラメータ取得手段３０１、撮影範囲算出手段３０２、取得指示入力手段１９０１、対応関係取得手段１９０２、対応関係保持手段３０３、選択指示入力手段３０４、対応関係選択手段３０５、ショットサイズ判定手段３０６を備えている。
【０１５０】
撮影パラメータ取得手段３０１は、本発明の第１実施形態のものと同様である。
撮影範囲算出手段３０２は、本発明の第１実施形態のものと同様である。
取得指示入力手段１９０１は、情報処理装置１９００の操作者や情報処理装置１９００に接続された外部システムなどが取得指示を入力するものであって、入力された取得指示は、対応関係取得手段１９０２に登録される。
【０１５１】
対応関係取得手段１９０２は、取得指示入力手段１９０１から登録された取得指示に基づいて、図１９に図示していない外部の装置から対応関係を取得するものであって、取得した対応関係は、対応関係保持手段３０３に登録される。
対応関係保持手段３０３は、対応関係取得手段１９０２から登録された対応関係を保持するものであって、保持された対応関係は、後述の、選択指示入力手段３０４から登録される選択指示に基づいて、対応関係選択手段３０５から選択（取得）される。
【０１５２】
選択指示入力手段３０４は、情報処理装置１９００の操作者や情報処理装置１９００に接続された外部システムなどが選択指示を入力するものであって、入力された選択指示は、対応関係選択手段３０５に登録される。
対応関係選択手段３０５は、本発明の第１実施形態のものと同様である。
ショットサイズ判定手段３０６は、本発明の第１実施形態のものと同様である。
【０１５３】
（３．各手段の詳細）
（３−１．撮影パラメータ取得手段の動作例）
本発明の第３実施形態では、撮影パラメータ取得手段３０１は、ある時に、例えば、図４の撮影パラメータテーブル４００を取得したものとする。このとき、撮影パラメータ取得手段３０１は、本発明の第１実施形態並びに本発明の第２実施形態と同様に、取得した撮影パラメータテーブル４００を撮影範囲算出手段３０２に登録する。
【０１５４】
（３−２．撮影範囲算出手段の動作例）
本発明の第３実施形態では、ある時に、撮影パラメータ取得手段３０１から、例えば、図４の撮影パラメータテーブル４００が登録されたものとする。このとき、撮影範囲算出手段３０２は、本発明の第１実施形態と同様に、撮影パラメータテーブル４００に基づいて、例えば、図５の撮影範囲テーブル５００を算出する。すなわち、撮影範囲算出手段３０２は、「１０ｍｍ」という受光部の高さ４０７、「５０ｍｍ」という焦点距離４０８、「７．５ｍ」という被写体距離４０９、「１」というズーム倍率４１０を、それぞれ、前述の撮影範囲の高さの算出式（２）の「ｈ」、「ｄ」、「Ｄ」、「ｎ」に代入することで「１５０ｃｍ」という撮影範囲の高さ５０２を算出する。このとき、算出した撮影範囲テーブル５００は、ショットサイズ判定手段３０６に登録される。
【０１５５】
（３−３．取得指示入力手段の動作例）
取得指示入力手段１９０１を用いて情報処理装置１９００の操作者や情報処理装置１９００に接続された外部システムなどが入力する、取得指示の情報テーブル（取得指示テーブル）の一例を図２０に示す。
この取得指示テーブル２０００は、映像識別子４０１、対応関係識別子６０１、格納場所２００１などの項目で構成されている。
【０１５６】
図示した例では、取得指示テーブル２０００は、「ＡＡＡ」という映像識別子４０６を有する映像に対して、「ＥＥＥ」という対格納場所２００２に格納されている、「ＢＢＢ」という対応関係識別子６０４を持つ対応関係を取得することを示している。
本発明の第３実施形態では、例えば、情報処理装置１９００の操作者や情報処理装置１９００に接続された外部システムなどによって図２０の取得指示テーブル２０００が入力されたものとする。このとき、取得指示入力手段１９０１は、入力された取得指示テーブル２０００を対応関係取得手段１９０２に登録する。
【０１５７】
（３−４．対応関係取得手段の動作例）
本発明の第３実施形態では、ある時に、取得指示入力手段１９０１から、例えば、図２０の取得指示テーブル２０００が登録されたものとする。このとき、対応関係取得手段１９０２は、取得指示テーブル２０００の「ＥＥＥ」という対格納場所２００２と「ＢＢＢ」という対応関係識別子６０４とに基づいて、図１９に図示していない外部の装置から、例えば、図６の対応関係テーブル６００を選択（取得）し、選択（取得）した対応関係テーブル６００を対応関係保持手段３０３に登録する。
【０１５８】
（３−５．対応関係保持手段の動作例）
本発明の第３実施形態では、ある時に、対応関係取得手段１９０２から、例えば、図６の対応関係テーブル６００が登録されたものとする。このとき、対応関係保持手段３０３は、本発明の第２実施形態と同様に、その内部に存在する対応関係保持領域なるメモリ領域内に、登録された対応関係テーブル６００を含む複数の対応関係を保持し、保持された対応関係テーブル６００は、後述の、選択指示入力手段３０４から登録される選択指示に基づいて、対応関係選択手段３０５の内部に存在する対応関係保持領域内から選択（取得）される。ここで、対応関係保持領域内の対応関係は、本発明の第２実施形態と同様に、対応関係選択手段３０５から選択（取得）された後も、この対応関係保持領域内に存在し続けるものとする。
【０１５９】
（３−６．選択指示入力手段の動作例）
本発明の第３実施形態では、ある時に、選択指示入力手段３０４において、例えば、図７の選択指示テーブル７００が入力されたものとする。このとき、選択指示入力手段３０４は、本発明の第１実施形態並びに本発明の第２実施形態と同様に、入力された選択指示テーブル７００を対応関係選択手段３０５に登録する。
【０１６０】
（３−７．対応関係選択手段の動作例）
本発明の第３実施形態では、ある時に、選択指示入力手段３０４から、例えば、図７の選択指示テーブル７００が登録されたものとする。このとき、対応関係選択手段３０５は、本発明の第１実施形態並びに本発明の第２実施形態と同様に、選択指示テーブル７００の「ＢＢＢ」という対応関係識別子６０４に基づいて、対応関係保持手段３０３から、例えば、図６の対応関係テーブル６００を選択（取得）し、選択（取得）した対応関係テーブル６００をショットサイズ判定手段３０６に登録する。
【０１６１】
（３−８．ショットサイズ判定手段の動作例）
本発明の第３実施形態では、ある時に、撮影範囲算出手段３０２から、例えば、図５の撮影範囲テーブル５００が登録され、さらに、対応関係選択手段３０５から、例えば、図６の対応関係テーブル６００が登録されたものとする。このとき、ショットサイズ判定手段３０６は、本発明の第１実施形態並びに本発明の第２実施形態と同様に、撮影範囲テーブル５００と対応関係テーブル６００とに基づいて、「ＡＡＡ」という映像識別子４０６を有する映像が、「ウエストショット」というショットサイズ６０７に分類されることを判定する。すなわち、ショットサイズ判定手段３０６は、「１５０ｃｍ」という撮影範囲の高さ５０２が「１２５ｃｍ以上、１８５ｃｍ未満」という撮影範囲の高さのレンジ６１２に含まれると判断する。
【０１６２】
（４．全体処理の詳細）
この第３実施形態において、情報処理装置１９００が映像のショットサイズを判定する場合の動作を示すフローチャートを図２１に示す。
ステップＳ２１０１では、撮影パラメータ取得手段３０１は、撮像装置を用いて映像を撮影した際の撮影パラメータを取得する。
【０１６３】
ステップＳ２１０２では、撮影パラメータ取得手段３０１は、ステップＳ２１０１で取得した撮影パラメータを撮影範囲算出手段３０２に登録する。
ステップＳ２１０３では、撮影範囲算出手段３０２は、ステップＳ２１０２で登録された撮影パラメータに基づいて、撮影した映像の撮影範囲の高さを算出する。
ステップＳ２１０４では、対応関係選択手段３０５は、選択指示入力手段３０４から選択指示が登録されるのを待ち、選択指示が登録された後に、ステップＳ２１０５へ移行する。
【０１６４】
ステップＳ２１０５では、撮影範囲算出手段３０２は、ステップＳ２１０４で登録された選択指示に基づいて、映像のショットサイズを判定するために必要となる対応関係が対応関係保持手段３０３において保持されているか否かを判定し、必要となる対応関係が対応関係保持手段３０３において保持されていると判断した場合には、ステップＳ２１１１に移行し、そうでない場合には、ステップＳ２１０６に移行する。
【０１６５】
ステップＳ２１０６では、対応関係取得手段１９０２は、取得指示入力手段１９０１から取得指示が登録されるのを待ち、取得指示が登録された後に、ステップＳ２１０７へ移行する。
ステップＳ２１０７では、対応関係取得手段１９０２は、ステップＳ２１０６で登録された取得指示に基づいて、撮影範囲の高さとショットサイズとの対応関係を取得する。
【０１６６】
ステップＳ２１０８では、対応関係取得手段１９０２は、ステップＳ２１０７で取得した対応関係を対応関係保持手段３０３に登録する。
ステップＳ２１０９では、対応関係保持手段３０３は、ステップＳ２１０８で登録された対応関係を保持する。
ステップＳ２１１０では、対応関係保持手段３０３は、ステップＳ２１０８で登録された（ステップＳ２１０９で保持した）対応関係を保持している旨を撮影範囲算出手段３０２に通知し、ステップＳ２１０５に戻る。
【０１６７】
ステップＳ２１１１では、撮影範囲算出手段３０２は、ステップＳ２１０３で算出した撮影範囲の高さをショットサイズ判定手段３０６に登録する。
ステップＳ２１１２では、対応関係選択手段３０５は、ステップＳ２１１１で登録された選択指示に基づいて、ステップＳ２１０９で対応関係保持手段３０３において保持されている、映像のショットサイズを判定するために必要となる対応関係を選択（取得）する。
【０１６８】
ステップＳ２１１３では、対応関係選択手段３０５は、ステップＳ２１１２で選択（取得）した対応関係をショットサイズ判定手段３０６に登録する。
ステップＳ２１１４では、ショットサイズ判定手段３０６は、ステップＳ２１１１で登録された撮影範囲の高さとステップＳ２１１３で登録された対応関係とに基づいて、ショットサイズを判定する。
【０１６９】
以下、この第３実施形態において、映像のショットサイズを判定するために必要となる対応関係が対応関係保持手段３０３において保持されている場合と保持されていない場合とに分けて、情報処理装置１９００が映像のショットサイズを判定する場合の動作を示す。
（４−１．対応関係が保持されていない場合の動作例）
まず、例えば、撮像装置を用いて映像を１回目に撮影するなど、映像のショットサイズを判定するために必要となる対応関係が対応関係保持手段３０３において保持されていない場合の、情報処理装置１９００が映像のショットサイズを判定する場合の動作の例を以下に示す。
【０１７０】
ステップＳ２１０１では、撮影パラメータ取得手段３０１は、例えば、図１９に図示していない外部の撮像装置から、図４の撮影パラメータテーブル４００を取得する。
ステップＳ２１０２では、撮影パラメータ取得手段３０１は、図４の撮影パラメータテーブル４００を撮影範囲算出手段３０２に登録する。
ステップＳ２１０３では、撮影範囲算出手段３０２は、図４の撮影パラメータテーブル４００に基づいて、例えば、図５の撮影範囲テーブル５００を算出（生成）する。
【０１７１】
ステップＳ２１０４では、対応関係選択手段３０５は、選択指示入力手段３０４から選択指示が登録されるのを待ち、例えば、図７の選択指示テーブル７００が登録された後に、ステップＳ２１０５へ移行する。
ステップＳ２１０５では、図７の選択指示テーブル７００の「ＢＢＢ」という対応関係識別子６０４に基づいて、必要となる対応関係が対応関係保持手段３０３において保持されているか否かを判定する。ここでは、「ＢＢＢ」という対応関係識別子６０４を持つ対応関係が保持されていないため、ステップＳ２１０６に移行する。
【０１７２】
ステップＳ２１０６では、対応関係取得手段１９０２は、取得指示入力手段１９０１から取得指示が登録されるのを待ち、例えば、図２０の取得指示テーブル２０００が登録された後に、ステップＳ２１０７へ移行する。
ステップＳ２１０７では、対応関係取得手段１９０２は、図２０の取得指示テーブル２０００に基づいて、例えば、図６の対応関係テーブル６００を取得する。
【０１７３】
ステップＳ２１０８では、対応関係取得手段１９０２は、図６の対応関係テーブル６００を対応関係保持手段３０３に登録する。
ステップＳ２１０９では、対応関係保持手段３０３は、図６の対応関係テーブル６００を保持する。
ステップＳ２１１０では、対応関係保持手段３０３は、図６の対応関係テーブル６００を保持している旨を撮影範囲算出手段３０２に通知し、ステップＳ２１０５に戻る。
【０１７４】
ステップＳ２１０５では、図７の選択指示テーブル７００の「ＢＢＢ」という対応関係識別子６０４に基づいて、必要となる対応関係が対応関係保持手段３０３において保持されているか否かを判定する。ここでは、「ＢＢＢ」という対応関係識別子６０４を持つ、図６の対応関係テーブル６００が対応関係保持手段３０３において保持されているため、ステップＳ２１１１に移行する。
【０１７５】
ステップＳ２１１１では、撮影範囲算出手段３０２は、図５の撮影範囲テーブル５００をショットサイズ判定手段３０６に登録する。
ステップＳ２１１２では、対応関係選択手段３０５は、図７の選択指示テーブル７００に基づいて、図６の対応関係テーブル６００を選択（取得）する。
ステップＳ２１１３では、対応関係選択手段３０５は、図６の対応関係テーブル６００をショットサイズ判定手段３０６に登録する。
【０１７６】
ステップＳ２１１４では、ショットサイズ判定手段３０６は、図５の撮影範囲テーブル５００と図６の対応関係テーブル６００とに基づいて、「ＡＡＡ」という映像識別子４０６を有する映像が、「ウエストショット」というショットサイズ６０７に分類されることを判定する。
（４−２．対応関係が保持されている場合の動作例）
次に、例えば、撮像装置を用いて撮影済み映像に含まれる被写体を２回目に撮影するなど、映像のショットサイズを判定するために必要となる対応関係が対応関係保持手段３０３において保持されている場合の、情報処理装置１９００が映像のショットサイズを判定する場合の動作の例を以下に示す。
【０１７７】
ステップＳ２１０１では、撮影パラメータ取得手段３０１は、例えば、図１９に図示していない外部の撮像装置から、図１０の撮影パラメータテーブル１０００を取得する。
ステップＳ２１０２では、撮影パラメータ取得手段３０１は、図１０の撮影パラメータテーブル１０００を撮影範囲算出手段３０２に登録する。
ステップＳ２１０３では、撮影範囲算出手段３０２は、図１０の撮影パラメータテーブル１０００に基づいて、例えば、図１１の撮影範囲テーブル１１００を算出（生成）する。
【０１７８】
ステップＳ２１０４では、対応関係選択手段３０５は、選択指示入力手段３０４から選択指示が登録されるのを待ち、例えば、図１４の選択指示テーブル１４００が登録された後に、ステップＳ２１０５へ移行する。
ステップＳ２１０５では、図７の選択指示テーブル７００の「ＢＢＢ」という対応関係識別子６０４に基づいて、必要となる対応関係が対応関係保持手段３０３において保持されているか否かを判定する。ここでは、「ＢＢＢ」という対応関係識別子６０４を持つ、図６の対応関係テーブル６００が対応関係保持手段３０３において保持されているため、ステップＳ２１１１に移行する。
【０１７９】
ステップＳ２１１１では、撮影範囲算出手段３０２は、図１１の撮影範囲テーブル１１００をショットサイズ判定手段３０６に登録する。
ステップＳ２１１２では、対応関係選択手段３０５は、図１４の選択指示テーブル１４００に基づいて、図６の対応関係テーブル６００を選択（取得）する。
ステップＳ２１１３では、対応関係選択手段３０５は、図６の対応関係テーブル６００をショットサイズ判定手段３０６に登録する。
【０１８０】
ステップＳ２１１４では、ショットサイズ判定手段３０６は、図１１の撮影範囲テーブル１１００と図６の対応関係テーブル６００とに基づいて、「ＣＣＣ」という映像識別子１００１を有する映像が、「ロングショット」というショットサイズ６０９に分類されることを判定する。
（５．その他の実施形態）
（５−１．撮影パラメータ取得手段に係わるその他の実施形態）
なお、本発明の第３実施形態において、パラメータ取得手段３０１は、撮影パラメータとして４個のパラメータを取得・登録しているが、本発明の第１実施形態並びに本発明の第２実施形態と同様に、これら以外の撮影パラメータをも取得・登録しても良い。また、例えば、ズーム機能を有していない撮像装置を用いて映像を撮影した場合は、本発明の第１実施形態並びに本発明の第２実施形態と同様に、ズーム倍率を撮影パラメータとして取得・登録しなくても良い。実際には、撮影範囲算出手段９０１が撮影範囲の高さを算出するために少なくとも必要となる撮影パラメータを取得・登録すれば良い。
【０１８１】
なお、本発明の第３実施形態において、撮影パラメータ取得手段３０１は、映像全体を通じてショットサイズが同一である、単一の映像に関する撮影パラメータを取得・登録しているが、本発明の第１実施形態並びに本発明の第２実施形態と同様に、撮影パラメータは、この通りに限定されるものではない。すなわち、本発明の第１実施形態並びに本発明の第２実施形態と同様に、各映像全体を通じてショットサイズが同一である、複数の映像に関する撮影パラメータに関する撮影パラメータを一括して取得・登録しても良い。また、途中でショットサイズが変化するような映像に関する撮影パラメータを取得・登録することも可能である。この場合には、例えば、時・分・秒及びフレーム数を表すタイムコードなどを用いて、ショットサイズが同一である映像区間を指定すると共に、その映像区間毎の撮影パラメータを指定することが望ましい。映像区間毎に撮影パラメータを指定する方法は、本発明の第１実施形態の（５−１．撮影パラメータ取得手段に係わるその他の実施形態）にて前述の通りである。
【０１８２】
（５−２．初期指示入力手段に係わるその他の実施形態）
なお、本発明の第３実施形態において、取得指示入力手段１９０１では、取得指示として映像識別子４０６、格納場所２００２、対応関係識別子６０４が入力されているが、取得指示は、この通りに限定されるものではない。例えば、対応関係の取得先が固定であれば、取得指示として格納場所２００２が入力されない場合でも、対応関係取得手段１９０２は、対応関係を取得できる。実際には、対応関係取得手段１９０２が対応関係を取得するために少なくとも必要となる取得指示が入力されれば良い。
【０１８３】
（５−３．対応関係選択手段に係わるその他の実施形態）
なお、本発明の第３実施形態において、対応関係保持手段３０３は、その内部に存在する対応関係保持領域なるメモリ領域内に複数の対応関係を保持し続けると述べたが、その保持期間は、本発明の第２実施形態と同様に、この通りに限定されるものではない。例えば、情報処理装置１９００の電源断に際して、対応関係保持手段３０３は、対応関係保持領域内に保持している全ての対応関係を消去しても良い。また、例えば、情報処理装置１９００の操作者や情報処理装置１９００に接続された外部システムなどから入力される消去指示に基づいて、対応関係保持手段３０３は、対応関係保持領域内に保持しているいずれかの対応関係または全ての対応関係を消去しても良い。実際には、映像のショットサイズを判定するために同一の対応関係が必要となる限り、その対応関係を外部の装置から再取得せずに選択（取得）できるように、対応関係保持手段３０３は、その対応関係を保持し続けられることが望ましい。
【０１８４】
（５−４．対応関係選択手段に係わるその他の実施形態）
なお、本発明の第３実施形態において、対応関係選択手段３０５は、選択指示入力手段３０４から選択指示が登録されるのを待っているが、選択指示の登録タイミングは、本発明の第１実施形態並びに本発明の第２実施形態と同様に、この通りに限定されるものではない。すなわち、映像のショットサイズを判定するために必要となる対応関係が対応関係保持手段３０３において保持されているか否かを判定する時点で対応関係選択手段３０５に登録されていれば、本発明の第１実施形態本発明の第２実施形態と同様に、選択指示の登録タイミングは不問である。
【０１８５】
なお、本発明の第３実施形態において、対応関係選択手段３０５は、登録された選択指示に基づいて、映像のショットサイズを判定するために必要となる対応関係を選択（取得）しているが、本発明の第１実施形態並びに本発明の第２実施形態と同様に、同一の被写体を撮影した映像のショットサイズを判定する場合には、この通りに限定されるものではない。すなわち、映像のショットサイズを判定するために必要となる対応関係が唯一の場合には、本発明の第１実施形態並びに本発明の第２実施形態と同様に、選択指示入力手段３０４や対応関係選択手段３０５は不要である。この場合には、図２１のステップＳ２１０３で撮影範囲の高さを算出した後に、ステップＳ２１０５へ移行し、ステップＳ２１０５では、対応関係保持手段３０３において対応関係が保持されているか否かを判定する。また、図２１のステップＳ２１１１で撮影範囲の高さをショットサイズ判定手段３０６に登録した後に、ステップＳ２１１３へ移行し、ステップＳ２１１３では、対応関係保持手段３０３は、保持している唯一の対応関係をショットサイズ判定手段３０６に登録する。
【産業上の利用可能性】
【０１８６】
本発明は、映像の撮像装置や映像の編集装置に適用することができる。映像の撮像装置に適用した場合には、その撮像装置を用いて映像を撮影する際に、撮影と同時に映像のショットサイズを判定することが可能となる。また、映像の編集装置に適用した場合には、撮像装置を用いて撮影した際の撮影パラメータ取得することで、撮影した映像を実際に目視することなく、映像のショットサイズを容易に判定することが可能となる。
【図面の簡単な説明】
【０１８７】
【図１】撮影範囲の高さとショットサイズとの対応関係の一例を示す説明図。
【図２】撮影範囲の高さを算出する方法の一例を示す説明図。
【図３】第１実施形態に係る情報処理装置の概略構成を示すブロック図。
【図４】撮影パラメータテーブルの一例を示す説明図。
【図５】撮影範囲テーブルの一例を示す説明図。
【図６】対応関係テーブルの一例を示す説明図。
【図７】選択指示テーブルの一例を示す説明図。
【図８】第１実施形態の情報処理装置の動作を示すフローチャート。
【図９】第２実施形態に係る情報処理装置の概略構成を示すブロック図。
【図１０】撮影パラメータテーブルの一例を示す説明図。
【図１１】撮影範囲テーブルの一例を示す説明図。
【図１２】第１初期指示テーブルの一例を示す説明図。
【図１３】第２初期指示テーブルの一例を示す説明図。
【図１４】選択指示テーブルの一例を示す説明図。
【図１５】第２実施形態の情報処理装置の動作を示すフローチャート。
【図１６】１次対応関係テーブルの一例を示す説明図。
【図１７】２次対応関係テーブルの一例を示す説明図。
【図１８】対応関係を生成する場合の動作を示すフローチャート。
【図１９】第３実施形態に係る情報処理装置の概略構成を示すブロック図。
【図２０】取得指示テーブルの一例を示す説明図。
【図２１】第３実施形態の情報処理装置の動作を示すフローチャート。
【図２２】ショットサイズが変化する映像の一例を示す説明図。
【図２３】撮影パラメータテーブルの一例を示す説明図。
【図３】
2007013478.tif 000003
【図４】
2007013478.tif 000004
【図５】
2007013478.tif 000005
【図６】
2007013478.tif 000006
【図７】
2007013478.tif 000007
【図８】
2007013478.tif 000008
【図９】
2007013478.tif 000009
【図１０】
2007013478.tif 000010
【図１１】
2007013478.tif 000011
【図１２】
2007013478.tif 000012
【図１３】
2007013478.tif 000013
【図１４】
2007013478.tif 000014
【図１５】
2007013478.tif 000015
【図１６】
2007013478.tif 000016
【図１７】
2007013478.tif 000017
【図１８】
2007013478.tif 000018
【図１９】
2007013478.tif 000019
【図２０】
2007013478.tif 000020
【図２１】
2007013478.tif 000021
【図２３】
2007013478.tif 000022
【図１】
2007013478.tif 000023
【図２】
2007013478.tif 000024
【図２２】
2007013478.tif 000025